(57)【特許請求の範囲】
【請求項１】
ワイヤレス通信の方法であって、
ユーザ機器（ＵＥ）で、次世代ノードＢ（ｇＮＢ）によって送信された予約要求（ＲＲＱ）を受信することと、
前記ＲＲＱに応答する前記ＵＥが、予約応答信号（ＲＲＳ）を送信することと
を備え、前記ＲＲＳは、前記ＵＥによって推定された干渉のインジケーションによって変調されたプリコード化サウンディング基準信号（ＳＲＳ）を搬送する、
方法。
【請求項２】
前記干渉のインジケーションは、共分散行列の逆数（Ｒｎｎ−１／２）に対応する、
請求項１に記載の方法。
【請求項３】
前記ｇＮＢは、前記ＵＥをサービスするサービングセルｇＮＢである、
請求項２に記載の方法。
【請求項４】
前記ｇＮＢが前記ＵＥをサービスしない近隣ｇＮＢであり、前記Ｒｎｎ−１／２は、前記近隣ｇＮＢによる送信に起因する、前記ＵＥとサービングｇＮＢとの間のワイヤレス通信への、干渉レベルの増加を示す、
請求項２に記載の方法。
【請求項５】
前記ＲＲＱは、サービングｇＮＢへの前記ＵＥの間のワイヤレス通信のデータ部分において使用されるランクを搬送し、前記ＵＥによる粗い干渉共分散行列（Ｒｎｎ）の計算を容易にするプリコード化チャネル状態情報−基準信号（ＣＳＩ−ＲＳ）を含む、
請求項１に記載の方法。
【請求項６】
前記ＲＲＱは、ネットワーク割り振りベクトル（ＮＡＶ）と、前記ＮＡＶの復号を可能にする制御基準信号（ＲＳ）をさらに含む、
請求項１に記載の方法。
【請求項７】
前記ＲＲＳは、前記ＮＡＶによって識別された送信機会（ＴｘＯｐ）において、他のＵＥによって送信された他のＲＲＳと多重化される、
請求項６に記載の方法。
【請求項８】
前記ＲＲＳは、ネットワーク割り振りベクトル（ＮＡＶ）と、前記ＮＡＶの復号を可能にする制御基準信号（ＲＳ）をさらに含む、
請求項１に記載の方法。
【請求項９】
前記ＲＲＱを受信する前に前記ＵＥが、前記ｇＮＢによって送信された同期信号を受信することと、
前記ＵＥが、前記ＲＲＱを復号するために前記同期信号を使用することと、
前記ＵＥが、前記ＲＲＳを送信する前に別の同期信号を送信することと
をさらに備える、請求項１に記載の方法。
【請求項１０】
前記ＵＥは、前記ｇＮＢと同期され、前記方法は、
前記ＵＥが、前記ＲＲＱが制御領域中で受信したかどうかを決定することと、
前記ＲＲＱが前記制御領域中で受信したとの前記決定に応答して、前記ＵＥが、前記制御領域中で前記ＲＲＳを送信することと、
前記ＲＲＱが前記制御領域中で受信しなかったとの前記決定に応答して、前記ＵＥが、データ領域中で前記ＲＲＳを送信することと
をさらに備える、請求項１に記載の方法。
【請求項１１】
ワイヤレス通信の方法であって、
次世代ノードＢ（ｇＮＢ）が、ユーザ機器（ＵＥ）に、予約要求（ＲＲＱ）を送信することと、
前記ｇＮＢが、前記ＲＲＱに応答する前記ＵＥによって送信された予約応答信号（ＲＲＳ）を検出すること、ここにおいて、前記ＲＲＳは、前記ＵＥによって推定された干渉のインジケーションによって変調されたプリコード化サウンディング基準信号（ＳＲＳ）を含む、と、
前記ＵＥと前記ｇＮＢとの間のワイヤレス通信のための、
プリコーダ、
ランク、または
変調およびコーディングスキーム（ＭＣＳ）
のうちの少なくとも１つを選択するために前記干渉のインジケーションを採用することと
を備える、方法。
【請求項１２】
前記干渉のインジケーションは、共分散行列の逆数（Ｒｎｎ−１／２）に対応する、
請求項１１に記載の方法。
【請求項１３】
前記ＲＲＱは、前記ＵＥと前記ｇＮＢとの間のワイヤレス通信のデータ部分において使用されるランクを搬送し、前記ＵＥによる粗い干渉共分散行列（Ｒｎｎ）の計算を容易にするプリコード化チャネル状態情報−基準信号（ＣＳＩ−ＲＳ）を含む、
請求項１１に記載の方法。
【請求項１４】
前記ｇＮＢは、−６デシベル（ｄＢ）信号対ノイズ比（ＳＮＲ）で前記ＲＲＳを検出する、
請求項１１に記載の方法。
【請求項１５】
前記ｇＮＢは、前記ＵＥと前記ｇＮＢとの間のワイヤレス通信のための前記プリコーダを選択するために前記干渉のインジケーションを採用する、
請求項１１に記載の方法。
【請求項１６】
前記ｇＮＢは、前記ＵＥと前記ｇＮＢとの間のワイヤレス通信のための前記ランクを選択するために前記干渉のインジケーションを採用する、
請求項１１に記載の方法。
【請求項１７】
前記ｇＮＢは、前記ＵＥと前記ｇＮＢとの間のワイヤレス通信のための前記ＭＣＳを選択するために前記干渉のインジケーションを採用する、
請求項１１に記載の方法。
【請求項１８】
前記ＲＲＱは、ネットワーク割り振りベクトル（ＮＡＶ）と、前記ＮＡＶの復号を可能にする制御基準信号（ＲＳ）をさらに含む、
請求項１１に記載の方法。
【請求項１９】
前記ｇＮＢが、前記ＵＥによって送信された前記ＲＲＳを検出することは、前記ＮＡＶによって識別された送信機会（ＴｘＯｐ）において、他のＵＥによって送信された他のＲＲＳと多重化される前記ＲＲＳを検出することを含む、
請求項１１に記載の方法。
【請求項２０】
前記ｇＮＢが、アップリンクおよびダウンリンクトラフィックのための１つまたは複数の通信媒体を予約するために異なるＲＲＱを送信することをさらに備える、
請求項１１に記載の方法。
【請求項２１】
前記ＲＲＱを送信する前に前記ｇＮＢが、同期信号を送信することと、
前記ＲＲＳを検出する前に前記ｇＮＢが、前記ＵＥによって送信された別の同期信号を受信することと、
前記ｇＮＢが、前記ＲＲＳを復号する前記別の同期信号を使用することと
をさらに備える、請求項１１に記載の方法。
【請求項２２】
前記ｇＮＢは、別のｇＮＢと同期され、前記方法は、
前記ｇＮＢが、制御領域において別のＵＥによってサービスされる前記別のＵＥと前記別のｇＮＢとの間で交換される別のＲＲＱと別のＲＲＳを観測することと、
前記ｇＮＢが、前記別のｇＮＢが前記別のＲＲＱおよび前記別のＲＲＳによって識別される送信機会（ＴｘＯｐ）を埋める十分なデータを有していないと決定すること、
前記ｇＮＢが、前記ＴｘＯｐの残りにおいて送信のために競合することと
をさらに備える、請求項１１に記載の方法。
【請求項２３】
前記ｇＮＢおよび前記別のｇＮＢは、同じオペレータのものであり、前記競合することは、ＲＲＱおよびＲＲＳの交換を包含するメカニズムを採用するソフト再利用プロシージャに従って生じる、
請求項２２に記載の方法。
【請求項２４】
前記ｇＮＢおよび前記別のｇＮＢは、異なるオペレータのものであり、前記競合することは、他のオペレータの１つまたは複数のｇＮＢでの優先ランダムアクセスプロシージャに従って生じる、
請求項２２に記載の方法。
【請求項２５】
ワイヤレス通信の方法であって、
次世代ノードＢ（ｇＮＢ）が、ユーザ機器（ＵＥ）に、予約要求（ＲＲＱ）を送信することと、
前記ｇＮＢが、前記ＲＲＱに応答する前記ＵＥによって送信された予約応答信号（ＲＲＳ）を検出すること、ここにおいて、前記ＲＲＳは、前記ＵＥによって推定された干渉のインジケーションによって変調されたプリコード化サウンディング基準信号（ＲＲＳ）を含み、前記干渉のインジケーションは、前記ｇＮＢによる１つまたは複数のワイヤレス送信に起因する、前記ＵＥとそれについてのサービングｇＮＢとの間のワイヤレス通信への、干渉レベルの上昇を示す、と、
前記ＲＲＳに応答する前記ｇＮＢが、所定の干渉レベルしきい値を超える、前記ワイヤレス通信への干渉を引き起こすのを避ける方法で、前記ワイヤレス送信を送信することと
を備える、方法。
【請求項２６】
前記干渉のインジケーションは、共分散行列の逆数（Ｒｎｎ−１／２）に対応する、
請求項２５に記載の方法。
【請求項２７】
前記ＲＲＱは、前記ＵＥが粗い干渉共分散行列（Ｒｎｎ）を計算すべきトーンを搬送するプリコード化チャネル状態情報基準信号（ＣＳＩ−ＲＳ）を含む、
請求項２５に記載の方法。
【請求項２８】
前記ｇＮＢは、−６デシベル（ｄＢ）信号対ノイズ比（ＳＮＲ）で前記ＲＲＳを検出する、
請求項２５に記載の方法。
【請求項２９】
前記ＲＲＱは、ネットワーク割り振りベクトル（ＮＡＶ）と、前記ＮＡＶの復号を可能にする制御基準信号（ＲＳ）をさらに含む、
請求項２５に記載の方法。
【請求項３０】
前記ｇＮＢが、前記ＵＥによって送信された前記ＲＲＳを検出することは、前記ＮＡＶによって識別された送信機会（ＴｘＯｐ）において、他のＵＥによって送信された他のＲＲＳと多重化されるＲＲＳを検出することを含む、
請求項２９に記載の方法。
【請求項３１】
前記ｇＮＢが、前記サービングｇＮＢへの前記ＵＥによるアップリンク送信のために通信媒体を予約するために、前記ＵＥのサービングｇＮＢによって送信されたＲＲＱを検出することと、
前記ＲＲＱに応答する前記ｇＮＢが、前記ＵＥによる前記アップリンク送信への干渉を低減する方法で、前記ワイヤレス送信を送信することと
をさらに備える、請求項２５に記載の方法。
【請求項３２】
前記送信することは、前記ＲＲＳに応答する前記ｇＮＢが、前記ＵＥによる前記アップリンク送信への干渉をさらに低減する、
請求項３１に記載の方法。
【請求項３３】
前記ＲＲＱを送信するまえに前記ｇＮＢが、同期信号を送信することと、
前記ＲＲＳを検出する前に前記ｇＮＢが、前記ＵＥによって送信された別の同期信号を受信することと、
前記ｇＮＢが、前記ＲＲＳを復号する前記別の同期信号を使用することとをさらに備える、請求項２５に記載の方法。
【請求項３４】
前記ｇＮＢは、別のｇＮＢと同期され、前記方法は、
前記ｇＮＢが、制御領域において、別のＵＥによってサービスされる前記別のＵＥと、前記別のｅＮＢとの間で交換される別のＲＲＱと別のＲＲＳを観測することと、
前記ｇＮＢが、前記別のｇＮＢが前記別のＲＲＱおよび前記別のＲＲＳによって識別される送信機会（ＴｘＯｐ）を埋める十分なデータを有していないと決定すること、
前記ｇＮＢが、前記ＴｘＯｐの残りにおいて送信のために競合することと
をさらに備える、請求項２５に記載の方法。
【請求項３５】
前記ｇＮＢおよび前記別のｇＮＢは、同じオペレータのものであり、前記競合することは、ＲＲＱおよびＲＲＳの交換を包含するメカニズムを採用するソフト再利用プロシージャに従って生じる、
請求項３４に記載の方法。
【請求項３６】
前記ｇＮＢおよび前記別のｇＮＢは、異なるオペレータのものであり、前記競合することは、他のオペレータの１つまたは複数のｇＮＢでの優先ランダムアクセスプロシージャに従って生じる、
請求項３４に記載の方法。
【発明の詳細な説明】
【関連出願の相互参照】
【０００１】
[0001]本出願は、２０１７年５月２４日付で出願された、「NR-SS UNIFIED OPERATION MODE IN COORDINATED AND UNCOORDINATED BANDS」という題名の米国仮特許出願番号第６２／５１０，５３４号、および２０１８年５月２１日付で出願された、「NR-SS UNIFIED OPERATION MODE IN COORDINATED AND UNCOORDINATED BANDS」という題名の米国実用特許出願番号第１５／９８５，０４８号の利益を主張し、これらが全体として明示的に本明細書に参照によって組み込まれる。
【技術分野】
【０００２】
[0002]本開示の態様は概して、ワイヤレス通信システムに関し、より具体的に、免許スペクトルおよび共有スペクトルにおける協調ワイヤレスネットワークおよび非協調ワイヤレスネットワークの共存のための媒体予約フレームワークに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらワイヤレスネットワークは、利用可能なネットワークリソースを共有することによって複数のユーザをサポートする能力を有する多元接続ネットワークであり得る。そのようなネットワークは、通常、多元接続ネットワークであり、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ（登録商標））によってサポートされる第３世代（３Ｇ）モバイル電話技術である、ユニバーサルモバイル電気通信システム（ＵＭＴＳ）の一部として定義された無線アクセスネットワーク（ＲＡＮ）である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、近隣基地局からの送信、または他のワイヤレス無線周波数（ＲＦ）送信機からの送信による干渉に遭遇することがある。アップリンク上では、ＵＥからの送信は、近隣基地局と通信する他のＵＥのアップリンク送信からの干渉、または他のワイヤレスＲＦ送信機からの干渉に遭遇することがある。この干渉は、ダウンリンクとアップリンクの両方で性能を劣化させることがある。
【０００６】
[0006]モバイルブロードバンドアクセスに対する需要が高まり続けるにつれて、より多くのＵＥが長距離ワイヤレス通信ネットワークにアクセスし、そしてより多くの短距離ワイヤレスシステムがコミュニティにおいて展開されることに伴って、干渉および輻輳したネットワーク（congested networks）の可能性が高まる。モバイルブロードバンドアクセスに対する増大する需要を満たすためだけでなく、モバイル通信のユーザエクスペリエンスを進化および向上させるためにも、ワイヤレス技術を進化させる研究および開発が続けられている。
【発明の概要】
【０００７】
[0007]本開示の１つの態様では、ワイヤレス通信の方法は、ユーザ機器（ＵＥ）で、次世代ノードＢ（ｇＮＢ）によって送信された予約要求（ＲＲＱ）を受信することを含む。方法はさらに、ＲＲＱに応答するＵＥが、予約応答信号（ＲＲＳ）を送信することを含む。ＲＲＳは、ＵＥによって推定された干渉のインジケーションによって変調されたプリコード化サウンディング基準信号（ＳＲＳ）を搬送する。
【０００８】
[0008]別の態様では、ワイヤレス通信装置は、ユーザ機器（ＵＥ）で、次世代ノードＢ（ｇＮＢ）によって送信された予約要求（ＲＲＱ）を受信するための手段を有する。方法はさらに、ＲＲＱに応答するＵＥが、予約応答信号（ＲＲＳ）を送信するための手段を有する。ＲＲＳは、ＵＥによって推定された干渉のインジケーションによって変調されたプリコード化サウンディング基準信号（ＳＲＳ）を搬送する。
【０００９】
[0009]別の態様では、ワイヤレス通信装置は、少なくとも１つのコンピュータプロセッサと、少なくとも１つのコンピュータプロセッサによって結合されたメモリとを有する。少なくとも１つのコンピュータプロセッサは、ユーザ機器（ＵＥ）で、次世代ノードＢ（ｇＮＢ）によって送信された予約要求（ＲＲＱ）を受信することを行うように構成される。少なくとも１つのコンピュータプロセッサはさらに、ＲＲＱに応答するＵＥが、予約応答信号（ＲＲＳ）を送信することを行うように構成される。ＲＲＳは、ＵＥによって推定された干渉のインジケーションによって変調されたプリコード化サウンディング基準信号（ＳＲＳ）を搬送する。
【００１０】
[0010]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。プロシージャは、ユーザ機器（ＵＥ）で、次世代ノードＢ（ｇＮＢ）によって送信された予約要求（ＲＲＱ）を受信することを含む。プロシージャはさらに、ＲＲＱに応答するＵＥが、予約応答信号（ＲＲＳ）を送信することを含む。ＲＲＳは、ＵＥによって推定された干渉のインジケーションによって変調されたプリコード化サウンディング基準信号（ＳＲＳ）を搬送する。
【００１１】
[0011]別の態様では、ワイヤレス通信の方法は、次世代ノードＢ（ｇＮＢ）が、ユーザ機器（ＵＥ）に、予約要求（ＲＲＱ）を送信することを含む。方法はさらに、ｇＮＢが、ＲＲＱに応答するＵＥによって送信された予約応答信号（ＲＲＳ）を検出することを含む。ＲＲＳは、ＵＥによって推定された干渉のインジケーションによって変調されたプリコード化サウンディング基準信号（ＳＲＳ）を含む。方法はまた、ＵＥとｇＮＢとの間のワイヤレス通信のための、プロシージャ、ランク、または変調およびコーディングスキーム（ＭＣＳ）のうちの少なくとも１つを選択するために干渉のインジケーションを採用することを含む。
【００１２】
[0012]別の態様では、ワイヤレス通信の方法は、ワイヤレス通信装置が、ユーザ機器（ＵＥ）に、予約要求（ＲＲＱ）を送信するための手段を有する。装置はさらに、ｇＮＢが、ＲＲＱに応答するＵＥによって送信された予約応答信号（ＲＲＳ）を検出するための手段を有する。ＲＲＳは、ＵＥによって推定された干渉のインジケーションによって変調されたプリコード化サウンディング基準信号（ＳＲＳ）を含む。装置はまた、ＵＥとｇＮＢとの間のワイヤレス通信のための、プロシージャ、ランク、または変調およびコーディングスキーム（ＭＣＳ）のうちの少なくとも１つを選択するために干渉のインジケーションを採用するための手段を有する。
【００１３】
[0013]別の態様では、ワイヤレス通信装置は、少なくとも１つのコンピュータプロセッサと、少なくとも１つのコンピュータプロセッサによって結合された少なくとも１つのメモリとを有する。少なくとも１つのプロッサは、次世代ノードＢ（ｇＮＢ）が、ユーザ機器（ＵＥ）に、予約要求（ＲＲＱ）を送信することを行うように構成される。少なくとも１つのコンピュータプロセッサはさらに、ｇＮＢが、ＲＲＱに応答するＵＥによって送信された予約応答信号（ＲＲＳ）を検出することを行うように構成される。ＲＲＳは、ＵＥによって推定された干渉のインジケーションによって変調されたプリコード化サウンディング基準信号（ＳＲＳ）を含む。少なくとも１つのコンピュータプロセッサはまた、ＵＥとｇＮＢとの間のワイヤレス通信のための、プロシージャ、ランク、または変調およびコーディングスキーム（ＭＣＳ）のうちの少なくとも１つを選択するために干渉のインジケーションを採用することを行うように構成される。
【００１４】
[0014]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。プロシージャは、次世代ノードＢ（ｇＮＢ）が、ユーザ機器（ＵＥ）に、予約要求（ＲＲＱ）を送信することを含む。プロシージャはさらに、ｇＮＢが、ＲＲＱに応答するＵＥによって送信された予約応答信号（ＲＲＳ）を検出することを含む。ＲＲＳは、ＵＥによって推定された干渉のインジケーションによって変調されたプリコード化サウンディング基準信号（ＳＲＳ）を含む。プロシージャはまた、ＵＥとｇＮＢとの間のワイヤレス通信のための、プロシージャ、ランク、または変調およびコーディングスキーム（ＭＣＳ）のうちの少なくとも１つを選択するために干渉のインジケーションを採用することを含む。
【００１５】
[0015]別の態様では、ワイヤレス通信の方法は、次世代ノードＢ（ｇＮＢ）が、ユーザ機器（ＵＥ）に、予約要求（ＲＲＱ）を送信することを含む。方法はさらに、ｇＮＢが、ＲＲＱに応答するＵＥによって送信された予約応答信号（ＲＲＳ）を検出することを含む。ＲＲＳは、ＵＥによって推定された干渉のインジケーションによって変調されたプリコード化サウンディング基準信号（ＳＲＳ）を含む。干渉のインジケーションは、ｇＮＢによる１つまたは複数のワイヤレス送信に起因する、ＵＥとサービングｇＮＢとの間のワイヤレス通信に、干渉レベルの増加を通信する。方法はまた、ＲＲＱに応答して応答するｇＮＢが、所定の干渉レベルしきい値を超えたワイヤレス通信への干渉を引き起こすのを避ける方法で、ワイヤレス送信を送信することを含む。
【００１６】
[0016]別の態様では、ワイヤレス通信の方法は、ワイヤレス通信装置が、ユーザ機器（ＵＥ）に、予約要求（ＲＲＱ）を送信するための手段を有する。装置はさらに、ｇＮＢが、ＲＲＱに応答してＵＥによって送信された予約応答信号（ＲＲＳ）を検出するための手段を有する。ＲＲＳは、ＵＥによって推定された干渉のインジケーションによって変調されたプリコード化サウンディング基準信号（ＳＲＳ）を搬送する。干渉のインジケーションは、ｇＮＢによる１つまたは複数のワイヤレス送信に起因する、ＵＥとサービングｇＮＢとの間のワイヤレス通信に、干渉レベルの増加を通信する。装置はまた、ＲＲＱに応答して応答するｇＮＢが、所定の干渉レベルしきい値を超えたワイヤレス通信への干渉を引き起こすのを避ける方法で、ワイヤレス送信を送信することを含む。
【００１７】
[0017]別の態様では、ワイヤレス通信装置は、少なくとも１つのコンピュータプロセッサと、少なくとも１つのコンピュータプロセッサによって結合された少なくとも１つのメモリとを含む。少なくとも１つのプロッサは、次世代ノードＢ（ｇＮＢ）が、ユーザ機器（ＵＥ）に、予約要求（ＲＲＱ）を送信することを行うように構成される。少なくとも１つのコンピュータプロセッサはまた、ｇＮＢが、ＲＲＱに応答してＵＥによって送信された予約応答信号（ＲＲＳ）を検出することを行うように構成される。ＲＲＳは、ＵＥによって推定された干渉のインジケーションによって変調されたプリコード化サウンディング基準信号（ＳＲＳ）を含む。干渉のインジケーションは、ｇＮＢによる１つまたは複数のワイヤレス送信に起因する、ＵＥとサービングｇＮＢとの間のワイヤレス通信に、干渉レベルの増加を通信する。少なくとも１つのコンピュータプロセッサはまた、ＲＲＱに応答するｇＮＢが、所定の干渉レベルしきい値を超えたワイヤレス通信への干渉を引き起こすことを避ける方法で、ワイヤレス送信を送信することを行うように構成される。
【００１８】
[0018]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。プロシージャは、次世代ノードＢ（ｇＮＢ）が、ユーザ機器（ＵＥ）に予約要求（ＲＲＱ）を送信することを含む。プロシージャはさらに、ｇＮＢが、ＲＲＱに応答するＵＥによって送信された予約応答信号（ＲＲＳ）を検出することを含む。ＲＲＳは、ＵＥによって推定された干渉のインジケーションによって変調されたプリコード化サウンディング基準信号（ＳＲＳ）を含む。干渉のインジケーションは、ｇＮＢによる１つまたは複数のワイヤレス送信に起因する、ＵＥとサービングｇＮＢとの間のワイヤレス通信に、干渉レベルの増加を通信する。プロシージャはまた、ＲＲＱに応答するｇＮＢが、所定の干渉レベルしきい値を超えたワイヤレス通信への干渉を引き起こすのを避ける方法で、ワイヤレス送信を送信することを含む。
【００１９】
[0019]別の態様では、ワイヤレス通信の方法は、ｅＮＢが、同期信号を送信することを含む。方法はさらに、同期信号の送信の後にｇＮＢが、予約要求（ＲＲＱ）を送信することを含む。ＲＲＱは、ネットワーク割り振りベクトル（ＮＡＶ）と、ＮＡＶを復号するための制御基準信号（ＲＳ）とを含む。同期信号は、ｇＮＢと協調しない１つまたは複数の他のノードがＲＲＱを復号することをできるようにする。
【００２０】
[0020]別の態様では、ワイヤレス通信装置は、ｅＮＢが、同期信号を送信するための手段を有する。装置はさらに、同期信号の送信の後にｇＮＢが、予約要求（ＲＲＱ）を送信するための手段を有する。ＲＲＱは、ネットワーク割り振りベクトル（ＮＡＶ）と、ＮＡＶを復号するための制御基準信号（ＲＳ）とを含む。同期信号は、ｇＮＢと協調しない１つまたは複数の他のノードがＲＲＱを復号することをできるようにする。
【００２１】
[0021]別の態様では、ワイヤレス通信装置は、少なくとも１つのコンピュータプロセッサと、少なくとも１つのコンピュータプロセッサによって結合された少なくとも１つのメモリとを含む。少なくとも１つのコンピュータプロセッサは、ｇＮＢが、同期信号を送信することを行うように構成される。少なくとも１つのコンピュータプロセッサはさらに、同期信号の送信の後にｇＮＢが、予約要求（ＲＲＱ）を送信することを行うように構成される。ＲＲＱは、ネットワーク割り振りベクトル（ＮＡＶ）と、ＮＡＶを復号するための制御基準信号（ＲＳ）とを含む。同期信号は、ｇＮＢと協調しない１つまたは複数の他のノードがＲＲＱを復号することをできるようにする。
【００２２】
[0022]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。プロシージャは、ｇＮＢが、同期信号を送信することを含む。プロシージャはさらに、同期信号の送信の後にｇＮＢが、予約要求（ＲＲＱ）を送信することを含む。ＲＲＱは、ネットワーク割り振りベクトル（ＮＡＶ）と、ＮＡＶを復号するための制御基準信号（ＲＳ）とを含む。同期信号は、ｇＮＢと協調しない１つまたは複数の他のノードがＲＲＱを復号することをできるようにする。
【００２３】
[0023]別の態様では、ワイヤレス通信の方法は、ユーザ機器（ＵＥ）が、次世代ノードＢ（ｇＮＢ）によって送信された同期信号を検出することを含む。方法はさらに、同期信号の送信の後にＵＥが、ｇＮＢによって送信された予約要求（ＲＲＱ）を受信することを含む。ＲＲＱは、ネットワーク割り振りベクトル（ＮＡＶ）と、ＮＡＶを復号するための制御基準信号（ＲＳ）とを含む。方法はまた、ＲＲＱを復号するために同期信号を使用することを含む。
【００２４】
[0024]別の態様では、ワイヤレス通信装置は、ユーザ機器（ＵＥ）が、次世代ノードＢ（ｇＮＢ）によって送信された同期信号を検出するための手段を有する。装置はさらに、同期信号の送信の後にＥＵが、ｇＮＢによって送信された予約要求（ＲＲＱ）を受信するための手段を含み、ＲＲＱは、ネットワーク割り振りベクトル（ＮＡＶ）と、ＮＡＶを復号するための制御基準信号（ＲＳ）とを含む。装置はまた、ＲＲＱを復号するために同期信号を使用するための手段を含む。
【００２５】
[0025]別の態様では、ワイヤレス通信装置は、少なくとも１つのコンピュータプロセッサと、少なくとも１つのコンピュータプロセッサによって結合された少なくとも１つのメモリとを含む。少なくとも１つのコンピュータプロセッサは、ユーザ機器（ＵＥ）が、次世代ノードＢ（ｇＮＢ）によって送信された同期信号を検出することを行うように構成される。少なくとも１つのコンピュータプロセッサはさらに、同期信号の送信の後にＵＥが、ｇＮＢによって送信された予約要求（ＲＲＱ）を受信することを行うように構成される。ＲＲＱは、ネットワーク割り振りベクトル（ＮＡＶ）と、ＮＡＶを復号するための制御基準信号（ＲＳ）とを含む。少なくとも１つのコンピュータプロセッサは、ＲＲＱを復号するために同期信号を使用することを行うように構成される。
【００２６】
[0026]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。プロシージャは、ユーザ機器（ＵＥ）が、次世代ノードＢ（ｇＮＢ）によって送信された同期信号を検出することを含む。プロシージャはさらに、同期信号の送信の後にＵＥが、ｇＮＢによって送信された予約要求（ＲＲＱ）を受信することを含む。ＲＲＱは、ネットワーク割り振りベクトル（ＮＡＶ）と、ＮＡＶを復号するための制御基準信号（ＲＳ）を含む。プロシージャはまた、ＲＲＱを復号するために同期信号を使用することを含む。
【００２７】
[0027]別の態様では、ワイヤレス通信の方法は、ワイヤレスノードが、少なくとも１つのワイヤレス通信リソース上でワイヤレスノードによって周期的に送信される必要のある１つまたは複数のワイヤレス信号を識別することを含む。方法はさらに、ワイヤレスノードが、ノードによって行われるべき周期的な送信の長さおよび周期性を識別することによって少なくとも１つのワイヤレス通信リソース上で、他のノードを周期的に沈黙させるために、ディーププリアンブルを有する予約信号を送信することを含む。
【００２８】
[0028]別の態様では、ワイヤレス通信装置は、ワイヤレスノードが、少なくとも１つのワイヤレス通信リソース上でワイヤレスノードによって周期的に送信される必要のある１つまたは複数のワイヤレス信号を識別するための手段を有する。装置はさらに、ワイヤレスノードが、ノードによって行われるべき周期的な送信の長さおよび周期性を識別することによって少なくとも１つのワイヤレス通信リソース上で、他のノードを周期的に沈黙させるために、ディーププリアンブルを有する予約信号を送信するための手段を有する。
【００２９】
[0029]別の態様では、ワイヤレス通信装置は、少なくとも１つのコンピュータプロセッサと、少なくとも１つのコンピュータプロセッサによって結合された少なくとも１つのメモリとを有する。別の態様では、少なくとも１つのコンピュータプロセッサは、ワイヤレスノードが、少なくとも１つのワイヤレス通信リソース上でワイヤレスノードによって周期的に送信される必要のある１つまたは複数のワイヤレス信号を識別することを行うように構成される。少なくとも１つのコンピュータプロセッサはさらに、ワイヤレスノードが、ノードによって行われるべき周期的な送信の長さおよび周期性を識別することによって少なくとも１つのワイヤレス通信リソース上で、他のノードを周期的に沈黙させるために、ディーププリアンブルを有する予約信号を送信することを行うように構成される。
【００３０】
[0030]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。別の態様では、プロシージャは、ワイヤレスノードが、少なくとも１つのワイヤレス通信リソース上でワイヤレスノードによって周期的に送信される必要のある１つまたは複数のワイヤレス信号を識別することを含む。プロシージャはさらに、ワイヤレスノードが、ノードによって行われるべき周期的な送信の長さおよび周期性を識別することによって少なくとも１つのワイヤレス通信リソース上で、他のノードを周期的に沈黙させるために、ディーププリアンブルを有する予約信号を送信することを含む。
【００３１】
[0031]別の態様では、ワイヤレス通信の方法は、起動時のｇＮＢが、ディーププリアンブルを有し、ワイヤレス通信媒体上で少なくとも１つのワイヤレスノードによって送信される少なくとも１つの予約信号を検出することを含む。方法はさらに、ディーププリアンブルから暗黙的なネットワーク割り振りベクトル（ＮＡＶ）を決定することを含む。ＮＡＶは、少なくとも１つのワイヤレスノードによって行われるべき周期的な送信の長さおよび周期性を識別する。方法はまた、周期的な送信の長さおよび周期性に従って、ワイヤレス通信媒体上での競合を周期的に避けることを含む。
【００３２】
[0032]別の態様では、ワイヤレス通信装置は、起動時のｇＮＢが、ディーププリアンブルを有し、ワイヤレス通信媒体上で少なくとも１つのワイヤレスノードによって送信される少なくとも１つの予約信号を検出するための手段を有する。装置はさらに、ディーププリアンブルから暗黙的なネットワーク割り振りベクトル（ＮＡＶ）を決定するための手段を有する。ＮＡＶは、少なくとも１つのワイヤレスノードによって行われるべき周期的な送信の長さおよび周期性を識別する。装置はまた、周期的な送信の長さおよび周期性に従って、ワイヤレス通信媒体上での競合を周期的に避けるための手段を有する。
【００３３】
[0033]別の態様では、ワイヤレス通信装置は、少なくとも１つのコンピュータプロセッサと、少なくとも１つのコンピュータプロセッサによって結合された少なくとも１つのメモリとを含む。別の態様では、少なくとも１つのコンピュータプロセッサは、起動時のｇＮＢが、ディーププリアンブルを有し、ワイヤレス通信媒体上で少なくとも１つのワイヤレスノードによって送信される少なくとも１つの予約信号を検出することを行うように構成される。少なくとも１つのコンピュータプロセッサはさらに、ディーププリアンブルから暗黙的なネットワーク割り振りベクトル（ＮＡＶ）を決定することを行うように構成される。ＮＡＶは、少なくとも１つのワイヤレスノードによって実行されるべき周期的な送信の長さおよび周期性を識別する。少なくとも１つのコンピュータプロセッサはまた、周期的な送信の長さおよび周期性に従って、ワイヤレス通信媒体上での競合を周期的に避けることを行うように構成される。
【００３４】
[0034]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。プロシージャは、起動時のｇＮＢが、ディーププリアンブルを有し、ワイヤレス通信媒体上で少なくとも１つのワイヤレスノードによって送信される少なくとも１つの予約信号を検出することを含む。プロシージャはさらに、ディーププリアンブルから暗黙的なネットワーク割り振りベクトル（ＮＡＶ）を決定することを含む。ＮＡＶは、少なくとも１つのワイヤレスノードによって行われるべき周期的な送信の長さおよび周期性を識別する。プロシージャはまた、周期的な送信の長さおよび周期性に従って、ワイヤレス通信媒体上での競合を周期的に避けることを含む。
【００３５】
[0035]別の態様では、ワイヤレス通信の方法は、協調マルチポイント（ＣｏＭＰ）クラスタのスケジューラが、動作の非協調モードにおいてＣｏＭＰクラスタとして構成される複数の次世代ノードＢ（ｇＮＢ）をスケジュールすることを含む。ＣｏＭＰクラスタの各ｇＮＢは、それ自身のネットワーク割り振りベクトル（ＮＡＶ）を維持し、ワイヤレス送信リソースのために別々に競合する。
【００３６】
[0036]別の態様では、ワイヤレス通信の方法は、協調マルチポイント（ＣｏＭＰ）クラスタのスケジューラが、動作の非協調モードにおいてＣｏＭＰクラスタとして構成される複数の次世代ノードＢ（ｇＮＢ）をスケジュールすることを含む。ＣｏＭＰクラスタの各ｇＮＢは、それ自身のネットワーク割り振りベクトル（ＮＡＶ）を維持し、ワイヤレス送信リソースのために別々に競合する。
【００３７】
[0037]別の態様では、ワイヤレス通信装置は、少なくとも１つのプロセッサと、少なくとも１つのコンピュータプロセッサによって結合された少なくとも１つのメモリとを含む。別の態様では、ワイヤレス通信の方法は、協調マルチポイント（ＣｏＭＰ）クラスタのスケジューラが、動作の非協調モードにおいてＣｏＭＰクラスタとして構成される複数の次世代ノードＢ（ｇＮＢ）をスケジュールすることを含む。ＣｏＭＰクラスタの各ｇＮＢは、それ自身のネットワーク割り振りベクトル（ＮＡＶ）を維持し、ワイヤレス送信リソースのために別々に競合する。
【００３８】
[0038]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。別の態様では、ワイヤレス通信の方法は、協調マルチポイント（ＣｏＭＰ）クラスタのスケジューラが、動作の非協調モードにおいてＣｏＭＰクラスタとして構成される複数の次世代ノードＢ（ｇＮＢ）をスケジュールすることを含む。ＣｏＭＰクラスタの各ｇＮＢは、それ自身のネットワーク割り振りベクトル（ＮＡＶ）を維持し、ワイヤレス送信リソースのために別々に競合する。
【００３９】
[0039]別の態様では、ワイヤレス通信の方法は、協調マルチポイント（ＣｏＭＰ）クラスタのスケジューラが、動作の非協調モードにおいてＣｏＭＰクラスタとして構成される複数の次世代ノードＢ（ｇＮＢ）をスケジュールすることを含む。クラスタヘッドに指定される、ＣｏＭＰクラスタのうちのちょうど１つのｇＮＢは、ワイヤレス通信リソースのための完全な競合（full contention）を行っている。
【００４０】
[0040]別の態様では、ワイヤレス通信装置は、協調マルチポイント（ＣｏＭＰ）クラスタのスケジューラが、動作の非協調モードにおいてＣｏＭＰクラスタとして構成される複数の次世代ノードＢ（ｇＮＢ）をスケジュールするための手段を有する。クラスタヘッドに指定される、ＣｏＭＰクラスタのうちのちょうど１つのｇＮＢは、ワイヤレス通信リソースのための完全な競合を行っている。
【００４１】
[0041]別の態様では、ワイヤレス通信装置は、少なくとも１つのコンピュータプロセッサと、少なくとも１つのコンピュータプロセッサによって結合されたメモリとを含む。別の態様では、少なくとも１つのコンピュータプロセッサは、協調マルチポイント（ＣｏＭＰ）クラスタのスケジューラが、動作の非協調モードにおいてＣｏＭＰクラスタとして構成される複数の次世代ノードＢ（ｇＮＢ）をスケジュールすることを行うように構成される。クラスタヘッドに指定される、ＣｏＭＰクラスタのうちのちょうど１つのｇＮＢは、ワイヤレス通信リソースのための完全な競合を行っている。
【００４２】
[0042]別の態様では、コンピュータプログラム製品は、１つまたは複数のコンピュータプロセッサによって規定されると、少なくとも１つのコンピュータプロセッサにプロシージャを実行させる、命令を有するコンピュータ可読媒体を含む。プロシージャは、協調マルチポイント（ＣｏＭＰ）クラスタのスケジューラが、動作の非協調モードにおいてＣｏＭＰクラスタとして構成される複数の次世代ノードＢ（ｇＮＢ）をスケジュールすることを含む。クラスタヘッドに指定される、ＣｏＭＰクラスタのうちのちょうど１つのｇＮＢは、ワイヤレス通信リソースのための完全な競合を行っている。
【００４３】
[0043]上の記載は、以下の詳細な説明がよりよく理解され得るように、本開示に従った例の特徴および技術的利点を、ある程度広く概説したものである。追加の特徴および利点が以下に説明されることになる。開示される概念および具体的な例は、本開示と同じ目的を実行するために、他の構造を修正または設計するための基礎として容易に利用され得る。このような同等の構成体（construction）は、添付の特許請求の範囲から逸脱しない。本明細書に開示される概念の特性は、関連する利点とともに、それらの構成および動作の方法の両方に関して、添付の図に関連して検討されたとき、以下の説明からより一層理解されるであろう。図の各々は、例示および説明を目的として提供されており、特許請求の範囲の限定の定義としては提供されない。
【図面の簡単な説明】
【００４４】
[0044]本開示の性質および利点のさらなる理解が、以下の図面を参照することによって実現されうる。添付された図において、類似のコンポーネントまたは特徴は、同じ参照ラベルを有することができる。さらに、同じタイプの様々なコンポーネントは、参照ラベルに、ハイフンと、類似のコンポーネントを区別する第２のラベルとを後続させることによって区別され得る。本明細書中で第１の参照ラベルだけが使用される場合、その説明は、第２の参照ラベルに関係なく同じ第１の参照ラベルを有する同様のコンポーネントのうちのどの１つにも適用可能である。
【図１】図１は、ワイヤレス通信システムの詳細を例示するブロック図である。
【図２】図２は、本開示の一態様に従って構成された基地局およびＵＥの設計を示すブロック図である。
【図３】図３は、協調されたリソース区分のためのタイミング図の例を例示する。
【図４】図４は、本開示の一態様における媒体予約フレームワークによる、メッセージ交換を例示するブロック図である。
【図５Ａ】図５Ａは、本開示の一態様による非協調動作のためのタイミング図の例を例示する。
【図５Ｂ】図５Ｂは、本開示の一態様による送信機会における予約応答信号の多重化のためのタイミング図の例を例示する。
【図５Ｃ】図５Ｃは、本開示の一態様による協調された動作のためのタイミング図の例を例示する。
【図５Ｄ】図５Ｄは、本開示の一態様による送信機会の残りにおいて優先ランダムアクセスで協調された動作のタイミング図の例を例示する。
【図６Ａ】図６Ａは、本開示の一態様によるユーザ機器によって実行されるプロセスの例となるブロックを例示するフロー図である。
【図６Ｂ】図６Ｂは、本開示の一態様によるサービングｇＮＢによって実行されるプロセスの例となるブロックを例示するフロー図である。
【図６Ｃ】図６Ｂは、本開示の一態様による近隣ｇＮＢによって実行されるプロセスの例となるブロックを例示するフロー図である。
【図７Ａ】図７Ａは、本開示の一態様によるｇＮＢによって実行されるプロセスの例となるブロックを例示するフロー図である。
【図７Ｂ】図７Ｂは、本開示の一態様によるユーザ機器によって実行されるプロセスの例となるブロックを例示するフロー図である。
【図８Ａ】図８Ａは、本開示の一態様によるｇＮＢによって実行されるプロセスの例となるブロックを例示するフロー図である。
【図８Ｂ】図８Ｂは、本開示の一態様によるユーザ機器によって実行されるプロセスの例となるブロックを例示するフロー図である。
【図９Ａ】図９Ａは、本開示の一態様による協調マルチポイントクラスタのスケジューラによって実行されるプロセスの例となるブロックを例示するフロー図である。
【図９Ｂ】図９Ｂは、本開示の一態様による協調マルチポイントクラスタのスケジューラによって実行されるプロセスの例となるブロックを例示するフロー図である。
【図９Ｃ】図９Ｃは、本開示の一態様による協調マルチポイントクラスタのスケジューラによって実行されるプロセスの例となるブロックを例示するフロー図である。
【図９Ｄ】図９Ｄは、本開示の一態様による協調マルチポイントクラスタのうちの１つまたは複数のｇＮＢによって実行されるプロセスの例となるブロックを例示するフロー図である。
【図１０】図１０は、本開示の一態様によるｇＮＢのコンポーネントを例示するブロック図である。
【図１１】図１１は、本開示の一態様によるＵＥのコンポーネントを例示するブロック図である。
【発明を実施するための形態】
【００４５】
[0066]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００４６】
[0067]本開示は、一般に、ワイヤレス通信ネットワークとも呼ばれる、２つ以上のワイヤレス通信システム間の認可された共有アクセスを提供することまたはそれに参加することに関する。様々な実施形態では、技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥ（登録商標）ネットワーク、ＧＳＭ（登録商標）ネットワーク、第５世代（５Ｇ）または新無線（ＮＲ）ネットワークなどのワイヤレス通信ネットワークのみならず、他の通信ネットワークのためにも使用され得る。本明細書で説明される場合、「ネットワーク」および「システム」という用語は、交換可能に用いられ得る。
【００４７】
[0068]ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ、および同様のものなどの無線技術をインプリメントし得る。ＵＴＲＡ、Ｅ−ＵＴＲＡ、およびモバイル通信のためのグローバルシステム（ＧＳＭ）は、ユニバーサルモバイルテレコミュニケーションシステム（ＵＭＴＳ）の一部である。特に、ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）という名称の団体から提供された文書に説明されており、ｃｄｍａ２０００は、「第３世代パートナーシッププロジェクト２」（３ＧＰＰ２）という名称の団体からの文書に説明されている。これらの様々な無線技術および規格は、既知であるか、開発中である。例えば、第３世代パートナーシッププロジェクト（３ＧＰＰ）は、グローバルに適用可能な第３世代（３Ｇ）モバイルフォン仕様を規定することを目的とした、電気通信協会のグループ間の共同研究である。３ＧＰＰロングタームエボリューション（ＬＴＥ）は、ユニバーサルモバイルテレコミュニケーションズシステム（ＵＭＴＳ）モバイルフォン規格を改善することを目的とした、３ＧＰＰプロジェクトである。３ＧＰＰは、次世代のモバイルネットワーク、モバイルシステム、およびモバイルデバイスのための仕様を規定し得る。本開示は、一連の新しい異なる無線アクセス技術または無線エアインターフェースを使用するネットワーク間のワイヤレススペクトルへの共有アクセスを伴う、ＬＴＥから、４Ｇ、５Ｇ、ＮＲ、およびその先へのワイヤレス技術の進化に関する。
【００４８】
[0069]特に、５Ｇネットワークは、ＯＦＤＭベースの統合されたエアインターフェースを使用してインプリメントされ得る多様な展開、多様なスペクトル、ならびに多様なサービスおよびデバイスを企図する。これらの目標を達成するために、ＬＴＥおよびＬＴＥ−Ａに対するさらなる改良が、５Ｇ  ＮＲネットワークのための新無線技術の発展に加えて考慮される。５Ｇ  ＮＲは、（１）超高密度（例えば、約１００万個のノード／ｋｍ２）、超低複雑度（例えば、約数１０ビット／秒）、超低エネルギー（例えば、約１０年以上のバッテリ寿命）、および困難なロケーションに到達する能力を有するディープカバレッジ（deep coverage）を伴う、マッシブモノのインターネット（ＩｏＴ）に対するカバレッジを提供するために、（２）慎重な扱いを要する個人情報、金融情報、または機密情報を保護するための強力なセキュリティ、超高信頼性（例えば、約９９．９９９９％の信頼性）、超低レイテンシ（例えば、約１ｍｓ）、および広範囲にわたるモビリティを有するかまたはそれを欠くユーザを伴う、ミッションクリティカルな制御を含むカバレッジを提供するために、および（３）極めて高い容量（例えば、約１０Ｔｂｐｓ／ｋｍ２）、極めて高いデータレート（例えば、マルチＧｂｐｓレート、１００Ｍｂｐｓ以上のユーザエクスペリエンスレート）、および高度な発見と最適化を伴うディープアウェアネス（deep awareness）を含む、拡張型モバイルブロードバンドを用いてカバレッジを提供するために、スケーリングすることが可能となる。
【００４９】
[0070]５Ｇ  ＮＲは、スケーラブルなニューメロロジーおよび送信時間間隔（ＴＴＩ）を有する最適化されたＯＦＤＭベースの波形を使用するためにインプリメントされ得、動的な低レイテンシ時分割複信（ＴＤＤ）／周波数分割複信（ＦＤＤ）設計でのサービスおよび特徴を効率的に多重化するための共通の柔軟なフレームワークを有し、マッシブ多入力多出力（ＭＩＭＯ）、ロバストなミリメートル波（ｍｍＷａｖｅ）送信、高度なチャネルコーディング、およびデバイスセントリックモビリティ（device-centric mobility）などの、高度なワイヤレス技術を伴う。サブキャリア間隔のスケーリングを伴う、５Ｇ  ＮＲにおけるニューメロロジーのスケーラビリティは、多様なスペクトルおよび多様な展開にわたる多様なサービスの運用（operating）に効率的に対処し得る。例えば、３ＧＨｚ未満のＦＤＤ／ＴＤＤインプリメンテーションの様々な屋外およびマクロカバレッジ展開では、サブキャリア間隔は、例えば、１、５、１０、２０ＭＨｚなどの帯域幅にわたって（ｏｖｅｒ）、１５ｋＨｚで生じ得る。３ＧＨｚより大きいＴＤＤの他の様々な屋外およびスモールセルカバレッジ展開の場合、サブキャリア間隔は、８０／１００ＭＨｚの帯域幅にわたって、３０ｋＨｚで生じ得る。５ＧＨｚ帯域のアンライセンス部分にわたってＴＤＤを使用する他の様々な屋内広帯域インプリメンテーションの場合、サブキャリア間隔は、１６０ＭＨｚの帯域幅にわたって、６０ｋＨｚで生じ得る。最後に、２８ＧＨｚのＴＤＤにおいてｍｍＷａｖｅ成分（components）を用いて送信する様々な展開の場合、サブキャリア間隔は、５００ＭＨｚの帯域幅にわたって、１２０ｋＨｚで生じ得る。
【００５０】
[0071]５Ｇ  ＮＲのスケーラブルなニューメロロジーは、多様なレイテンシおよびサービス品質（ＱｏＳ）要件に対するスケーラブルなＴＴＩを容易にする。例えば、より短いＴＴＩは、低レイテンシおよび高信頼性のために使用され得、一方、より長いＴＴＩは、より高いスペクトル効率のために使用され得る。長いＴＴＩと短いＴＴＩの効率的な多重化は、送信がシンボル境界上で始まることを可能にする。５Ｇ  ＮＲはまた、同じサブフレーム中にアップリンク／ダウンリンクスケジューリング情報、データ、および確認応答を有する、自己完結型の統合サブフレーム設計（self-contained integrated subframe design）を企図する。自己完結型の統合サブフレームは、現在のトラフィックニーズを満たすためにアップリンクとダウンリンクの間で動的に切り替わるように、セルごとに柔軟に構成され得る適応型アップリンク／ダウンリンクである、無免許または競合ベースの共有スペクトルにおける通信をサポートする。
【００５１】
[0072]本開示の様々な他の態様および特徴が、以下でさらに詳細に説明される。本明細書での教示が多種多様な形態で具現化され得ること、および本明細書で開示されている任意の特定の構造、機能、または両方は、代表的であるにすぎず、限定するものではないことが明らかであるべきである。本明細書での教示に基づいて、当業者は、本明細書で開示される態様がその他任意の態様とは独立してインプリメントされ得ること、およびこれらの態様のうちの２つ以上が様々な方法で組み合わされ得ることを理解すべきである。例えば、本明細書に記載されるいずれの数の態様を使用しても、装置が実装され得、または方法が実施され得る。さらに、他の構造、機能、あるいは、本明細書に説明される態様のうちの１つまたは複数に加えてまたはそれ以外の構造および機能を使用して、そのような装置が実装され得るか、あるいは、そのような方法が実現され得る。例えば、方法は、システム、デバイス、装置の一部として、および／またはプロセッサまたはコンピュータ上での実行のために、コンピュータ可読媒体上に記憶された命令として、インプリメントされ得る。さらに、一態様は、一請求項の少なくとも１つ要素を備え得る。
【００５２】
[0073]図１は、本開示の態様に従って構成された様々な基地局およびＵＥを含む、５Ｇネットワーク１００を例示するブロック図である。５Ｇネットワーク１００は、いくつかの基地局１０５と他のネットワークエンティティとを含む。基地局は、ＵＥと通信する局であり得、発展型ノードＢ（ｅＮＢ）、次世代ｅＮＢ（ｇＮＢ）、アクセスポイントなどとも呼ばれ得る。各基地局１０５は、特定の地理的エリアに通信カバレッジを提供し得る。３ＧＰＰでは、「セル」という用語は、この用語が使用されるコンテキストに応じて、カバレッジエリアにサービス提供する基地局および／または基地局サブシステムのこの特定の地理的カバレッジエリアを指し得る。
【００５３】
[0074]基地局は、マクロセル、またはピコセルもしくはフェムトセルなどのスモールセル、および／または他のタイプのセルに通信カバレッジを提供し得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルなどのスモールセルは、一般に、比較的小さい地理的エリアをカバーすることになり、ネットワークプロバイダにサービスに加入しているＵＥによる無制限のアクセスを可能にし得る。フェムトセルなどのスモールセルもまた、一般に、比較的小さい地理的エリア（例えば、自宅）をカバーすることになり、無制限のアクセスに加えて、フェムトセルとの関連付けを有するＵＥ（例えば、限定加入者グループ（ＣＳＧ）中のＵＥ、自宅内のユーザのためのＵＥなど）による制限付きアクセスも提供し得る。マクロセルのための基地局は、マクロ基地局と呼ばれ得る。スモールセルのための基地局は、スモールセル基地局、ピコ基地局、フェムト基地局またはホーム基地局と呼ばれ得る。図１に示される例では、基地局１０５ｄおよび１０５ｅは、通常のマクロ基地局であり、一方、基地局１０５ａ〜１０５ｃは、３次元（３Ｄ）、全次元（ＦＤ：Full Dimension）、またはマッシブＭＩＭＯのうちの１つに対応可能なマクロ基地局である。基地局１０５ａ〜１０５ｃは、カバレッジおよび容量を増大させるために仰角と方位角の両方のビームフォーミングで３Ｄビームフォーミングを活用するために、それらのより高い次元のＭＩＭＯ能力を利用する。基地局１０５ｆは、ホームノードまたはポータブルアクセスポイントであり得るスモールセル基地局である。基地局は、１つまたは複数（例えば、２つ、３つ、４つなど）のセルをサポートし得る。
【００５４】
[0075]５Ｇネットワーク１００は、同期または非同期動作をサポートし得る。同期動作の場合、複数の基地局は、同様のフレームタイミングを有し得、異なる基地局からの送信は、時間的にほぼアラインされ得る。非同期動作では、基地局は異なるフレームタイミングを有し得、異なる基地局からの送信が時間的にアラインされないことがある。
【００５５】
[0076]ＵＥ１１５はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。一態様では、ＵＥは、ユニバーサル集積回路カード（ＵＩＣＣ）を含むデバイスであり得る。別の態様では、ＵＥは、ＵＩＣＣを含まないデバイスであり得る。いくつかの態様では、ＵＩＣＣを含まないＵＥは、インターネットオブエブリシング（ＩｏＥ）デバイスとも呼ばれ得る。ＵＥはまた、マシンタイプ通信（ＭＴＣ）、拡張型ＭＴＣ（ｅＭＴＣ：ｅｎｈａｎｃｅｄ  ＭＴＣ）、狭帯域ＩｏＴ（ＮＢ−ＩｏＴ）などを含む、特に接続された通信のために構成された機械であり得る。ＵＥ１１５ｅ〜１１５ｋは、５Ｇネットワーク１００にアクセスする通信のために構成された様々な機械の例である。ＵＥは、マクロ基地局、スモールセル、または同様のものであるかにかかわらず、任意のタイプの基地局と通信することが可能であり得る。図１では、稲妻（例えば、通信リンク）は、ＵＥと、ダウンリンクおよび／またはアップリンク上でＵＥにサービス提供するように指定された基地局であるサービング基地局との間のワイヤレス送信を示し、あるいは、基地局間の所望の送信、および基地局間のバックホール送信を示す。
【００５６】
[0077]５Ｇネットワーク１００において動作中、基地局１０５ａ〜１０５ｃは、多地点協調（ＣｏＭＰ）またはマルチ接続などの、協調空間技法および３Ｄビームフォーミングを使用して、ＵＥ１１５ａおよび１１５ｂにサービス提供する。マクロ基地局１０５ｄは、基地局１０５ａ〜１０５ｃ、ならびにスモールセル基地局１０５ｆとのバックホール通信を実行する。マクロ基地局１０５ｄはまた、ＵＥ１１５ｃおよび１１５ｄがそれに加入しておりかつＵＥ１１５ｃおよび１１５ｄによって受信される、マルチキャストサービスを送信する。このようなマルチキャストサービスは、モバイルテレビジョンまたはストリームビデオを含み得、あるいは、気象緊急事態などのコミュニティ情報、またはアンバーアラートもしくはグレーアラートなどの警報を提供するための他のサービスを含み得る。
【００５７】
[0078]５Ｇネットワーク１００はまた、ドローンであるＵＥ１１５ｅなどのミッションクリティカルなデバイスのための極めて信頼性が高く冗長なリンクでのミッションクリティカルな通信をサポートする。ＵＥ１１５ｅとの冗長な通信リンクは、マクロ基地局１０５ｄおよび１０５ｅ、ならびにスモールセル基地局１０５ｆからのものを含む。ＵＥ１１５ｆ（温度計）、ＵＥ１１５ｇ（スマートメータ）、およびＵＥ１１５ｈ（ウェアラブルデバイス）などの他のマシンタイプデバイスは、スモールセル基地局１０５ｆおよびマクロ基地局１０５ｅなどの基地局と直接的に、または、ＵＥ１１５ｆがスマートメータであるＵＥ１１５ｇに温度測定情報を通信し、その後、それがスモールセル基地局１０５ｆを通じてネットワークに報告されるといったように、その情報をネットワークに中継する別のユーザデバイスと通信することによるマルチホップ構成においてのいずれかで、５Ｇネットワーク１００を通じて通信し得る。５Ｇネットワーク１００はまた、マクロ基地局１０５ｅと通信するＵＥ１１５ｉ〜１１５ｋ間の車車間（Ｖ２Ｖ）メッシュネットワークでのように、動的な低レイテンシＴＤＤ／ＦＤＤ通信を通じて、さらなるネットワーク効率を提供し得る。
【００５８】
[0079]図２は、図１の基地局のうちの１つおよびＵＥのうちの１つであり得る、基地局１０５およびＵＥ１１５の設計のブロック図を示す。基地局１０５において、送信プロセッサ２２０は、データソース２１２からデータを受信し、コントローラ／プロセッサ２４０から制御情報を受信し得る。制御情報は、ＰＢＣＨ、ＰＣＦＩＣＨ、ＰＨＩＣＨ、ＰＤＣＣＨ、ＥＰＤＣＣＨ、ＭＰＤＣＣＨ、等のためのものであり得る。データは、ＰＤＳＣＨ、等のためのものであり得る。送信プロセッサ２２０は、データと制御情報とを処理（たとえば、符号化およびシンボルマッピング）し、データシンボルと制御シンボルとをそれぞれ取得することができる。送信プロセッサ２２０はまた、たとえば、ＰＳＳ、ＳＳＳ、およびセル固有基準信号のための基準シンボルを生成し得る。送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、出力シンボルストリームを変調器（ＭＯＤ）２３２ａ〜２３２ｔに与え得る。各変調器２３２は、（たとえば、ＯＦＤＭなどのために）それぞれの出力シンボルストリームを処理して、出力サンプルストリームを取得し得る。各変調器２３２は、該出力サンプルストリームをさらに処理（たとえば、アナログへのコンバート、増幅、フィルタリング、およびアップコンバート）して、ダウンリンク信号を取得し得る。変調器２３２ａ〜２３２ｔからのダウンリンク信号は、それぞれアンテナ２３４ａ〜２３４ｔを介して送信され得る。
【００５９】
[0080]ＵＥ１１５において、アンテナ２５２ａ〜２５２ｒは、基地局１０５からダウンリンク信号を受信し得、受信された信号を、それぞれ、復調器（ＤＥＭＯＤ）２５４ａ〜２５４ｒに供給し得る。各復調器２５４は、入力サンプルを取得するために、該当する受信信号を調整（例えば、フィルタリング、増幅、ダウンコンバート、およびデジタル化）し得る。各復調器２５４は、（たとえば、ＯＦＤＭなどのために）入力サンプルをさらに処理して、受信シンボルを取得し得る。ＭＩＭＯ検出器２５６は、すべての復調器２５４ａ〜２５４ｒから受信シンボルを取得し、適用可能な場合は受信シンボルに対してＭＩＭＯ検出を実行し、検出シンボルを与え得る。受信プロセッサ２５８は、検出されたシンボルを処理（例えば、復調、デインタリーブ、および復号）し、ＵＥ１１５についての復号されたデータをデータシンク２６０に提供し、復号された制御情報をコントローラ／プロセッサ２８０に提供し得る。
【００６０】
[0081]アップリンク上では、ＵＥ１１５において、送信プロセッサ２６４は、データソース２６２から（たとえば、ＰＵＳＣＨのための）データを受信し、処理し得、コントローラ／プロセッサ２８０から（たとえば、ＰＵＣＣＨのための）制御情報を受信し、処理し得る。送信プロセッサ２６４はまた、基準信号のための基準シンボルを生成し得る。送信プロセッサ２６４からのシンボルは、適用可能な場合、ＴＸ  ＭＩＭＯプロセッサ２６６によってプリコードされ、（たとえば、ＳＣ−ＦＤＭ、等のために）変調器２５４ａ〜２５４ｒによってさらに処理され、基地局１０５に送信され得る。基地局１０５において、ＵＥ１１５からのアップリンク信号が、アンテナ２３４によって受信され、復調器２３２によって処理され、適用可能な場合にはＭＩＭＯ検出器２３６によって検出され、受信プロセッサ２３８によってさらに処理されて、ＵＥ１１５によって送られた、復号されたデータおよび制御情報を取得し得る。プロセッサ２３８は、復号されたデータをデータシンク２３９に与え、復号された制御情報をコントローラ／プロセッサ２４０に与え得る。
【００６１】
[0082]コントローラ／プロセッサ２４０および２８０は、それぞれ基地局１０５およびＵＥ１１５における動作を指示し得る。基地局１０５におけるコントローラ／プロセッサ２４０および／または他のプロセッサおよびモジュールは、本明細書で説明される技法のための様々なプロセスの実行を指示または実行し得る。ＵＥ１１５におけるコントローラ／プロセッサ２８０および／または他のプロセッサおよびモジュールもまた、図６Ａ、図６Ｂ、図６Ｃ、図７Ａ、図７Ｂ、図８Ａ、図８Ｂ、図９Ａ，図９Ｂ、図９Ｃ、および図９Ｄに例示される機能ブロック、および／または本明細書で説明される技法のための他のプロセスの実行を指示または実行し得る。メモリ２４２および２８２は、それぞれ、基地局１０５およびＵＥ１１５のためのデータおよびプログラムコードを格納し得る。スケジューラ２４４は、ダウンリンクおよび／またはアップリンク上でのデータ送信のためにＵＥをスケジュールし得る。
【００６２】
[0083]異なるネットワークオペレーティングエンティティ（例えば、ネットワーク事業者）によって動作させられるワイヤレス通信システムは、スペクトルを共有し得る。いくつかの事例では、ネットワークオペレーティングエンティティは、別のネットワークオペレーティングエンティティが異なる時間期間にわたって指定された共有スペクトル全体を使用する前に、少なくともある時間期間にわたって指定された共有スペクトル全体を使用するように構成され得る。したがって、ネットワークオペレーティングエンティティが完全に指定された共有スペクトルを使用することを可能にするために、および異なるネットワークオペレーティングエンティティ間の干渉する通信を緩和するために、ある特定のリソース（例えば、時間）が区分され、ある特定のタイプの通信のための異なるネットワークオペレーティングエンティティに割り振られ得る。
【００６３】
[0084]例えば、ネットワークオペレーティングエンティティは、共有スペクトルの全体を使用するネットワークオペレーティングエンティティによる排他的な通信のために予約されたある特定の時間リソースを割り振られ得る。ネットワークオペレーティングエンティティはまた、このエンティティが、共有スペクトルを使用して通信するために、他のネットワークオペレーティングエンティティより優先される、他の時間リソースを割り振られ得る。ネットワークオペレーティングエンティティによる使用のために優先されるこれらの時間リソースは、優先されるネットワークオペレーティングエンティティがそのリソースを利用しない場合、日和見ベース（Opportunistic Basis）で他のネットワークオペレーティングエンティティによって利用され得る。追加の時間リソースは、任意のネットワーク事業者が日和見ベースで使用するために割り振られ得る。
【００６４】
[0085]共有スペクトルへのアクセスおよび異なるネットワークオペレーティングエンティティ間での時間リソースの調停（arbitration）は、別個のエンティティによって中央制御されるか、所定の調停スキームによって自律的に決定されるか、またはネットワーク事業者のワイヤレスノード間のインタラクションに基づいて動的に決定され得る。
【００６５】
[0086]いくつかのケースでは、ＵＥ１１５および基地局１０５は、共有無線周波数スペクトル帯域において動作し得、これは、ライセンスまたはアンライセンス（例えば、競合ベース）の周波数スペクトルを含み得る。共有無線周波数スペクトル帯域のアンライセンス周波数部分では、ＵＥ１１５または基地局１０５は、従来どおり、媒体感知プロシージャを実行して、周波数スペクトルへのアクセスを競合し得る。例えば、ＵＥ１１５または基地局１０５は、共有チャネルが利用可能であるかどうかを決定するために、通信する前に、クリアチャネルアセスメント（ＣＣＡ）などのリッスンビフォアトーク（ＬＢＴ）プロシージャを実行し得る。ＣＣＡは、任意の他のアクティブな送信が存在するかどうかを決定するためのエネルギー検出プロシージャを含み得る。例えば、デバイスは、電力メータの受信信号強度インジケータ（ＲＳＳＩ）における変化が、チャネルが占有されていることを示すと推論し得る。具体的には、ある特定の帯域幅に集中し、所定のノイズフロアを超える信号電力は、別のワイヤレス送信機を示し得る。ＣＣＡはまた、チャネルの使用を示す特定のシーケンスの検出を含み得る。例えば、別のデバイスは、データシーケンスを送信する前に、特定のプリアンブルを送信し得る。いくつかのケースでは、ＬＢＴプロシージャは、衝突用のプロキシとして、それ自体の送信されたパケットに対する肯定応答／否定応答（ＡＣＫ／ＮＡＣＫ）フィードバックおよび／またはチャネル上で検出されたエネルギー量に基づいて、それ自体のバックオフウィンドウを調整するワイヤレスノードを含み得る。
【００６６】
[0087]アンライセンス共有スペクトルへのアクセスを競合するための媒体感知プロシージャの使用は、通信の非効率をもたらす場合がある。これは、複数のネットワークオペレーティングエンティティ（例えば、ネットワーク事業者）が共有リソースにアクセスしようと試みるとき、特に顕著であり得る。５Ｇネットワーク１００では、基地局１０５およびＵＥ１１５は、同じまたは異なるネットワークオペレーティングエンティティによって動作させられ得る。いくつかの例では、個々の基地局１０５またはＵＥ１１５は、１つより多くのネットワークオペレーティングエンティティによって動作させられ得る。他の例では、各基地局１０５およびＵＥ１１５は、単一のネットワークオペレーティングエンティティによって動作させられ得る。異なるネットワークオペレーティングエンティティの各基地局１０５およびＵＥ１１５が共有リソースを競合することを必要とすることは、増大されたシグナリングオーバヘッドおよび通信レイテンシをもたらす場合がある。
【００６７】
[0088]図３は、協調されたリソース区分のためのタイミング図の例を例示する。タイミング図３００は、固定された時間期間（例えば、２０ｍｓ）を表し得る、スーパーサブフレーム３０５を含む。スーパーサブフレーム３０５は、所与の通信セッションのために繰り返され得、図１を参照して説明された５Ｇネットワーク１００のようなワイヤレスシステムによって使用され得る。スーパーサブフレーム３０５は、獲得間隔（Ａ−ＩＮＴ）３１０および調停間隔３１５のような間隔に分割され得る。以下でより詳細に説明されるように、Ａ−ＩＮＴ３１０および調停間隔３１５は、異なるネットワーク動作エンティティの間の協調通信を容易にするために、サブ間隔にさらに分割され得、あるリソースタイプのために指定され、異なるネットワーク動作エンティティに割り振られ得る。例えば、調停間隔３１５は、複数のサブ間隔３２０のに分割され得る。さらに、スーパーサブフレーム３０５は、固定期間（例えば、１ｍｓ）で複数のサブフレーム３２５にさらに分割され得る。タイミング図３００が３つの異なるネットワーク動作エンティティ（例えば、オペレータＡ、オペレータＢ、オペレータＣ）を例示する一方、協調通信のためにスーパーサブフレーム３０５を使用するネットワーク動作エンティティの数は、タイミング図３００中で例示される数より多く、または少なくなり得る。
【００６８】
[0089]Ａ−ＩＮＴ３１０は、ネットワーク動作エンティティによる排他的な通信のために予約されるスーパーサブフレーム３０５の専用間隔であり得る。いくつかの例では、各ネットワーク動作エンティティは、排他的な通信のためのＡ−ＩＮＴ３１０内であるリソースを割り振られ得る。例えば、リソース３３０−ａは、基地局１０５ａを通るような、オペレータＡによる排他的な通信のために予約され得、リソース３３０−ｂは、基地局１０５を通るような、オペレータＢによる排他的な通信のために予約され得、リソース３３０−ｃは、基地局１０５ｃを通るような、オペレータＣによる排他的な通信のために予約され得る。リソース３３０−ａがオペレータＡによる排他的な通信のために予約されるので、オペレータＢもオペレータＣもどちらも、たとえオペレータＡｇａそのリソースの間通信しない場合でさえも、リソース３３０−ａの間通信することができない。すなわち、排他的なリソースへのアクセスは、専用ネットワークオペレータに限定される。同様の制限がオペレータＢのためのリソース３３０−ｂおよびオペレータＣのためのリソース３３０−ｃに適用される。オペレータＡのワイヤレスノード（例えば、ＵＥ１１５または基地局１０５）は、制御情報またはデータのような、それらの排他的なリソース３３０−ａの間に望まれた任意の情報を通信し得る。
【００６９】
[0090]排他的案リソースにわたる通信のとき、ネットワーク動作エンティティは、ネットワーク動作エンティティが予約されたリソースを知っているので、任意の媒体センシングプロシージャ（例えば、リッスンビフォアトーク（ＬＢＴ）またはクリアチャネルアセスメント（ＣＣＡ））を実行する必要がない。指定されたネットワーク動作エンティティのみが排他的なリソースにわたって通信するので、媒体センシング技法だけを信頼するのと比較して、干渉する通信の可能性を低減されることがあり得る。いくつかの例では、Ａ−ＩＮＴ３１０は、同期信号（例えば、ＳＹＮＣ信号）、システム情報（例えば、システム情報ブロック（ＳＩＢ）、ページング情報（例えば、物理ブロードキャストチャネル（ＰＢＣＨ）メッセージ）、またはランダムアクセス情報（例えば、ランダムアクセスチャネル（ＲＡＣＨ）信号）のような、制御情報を送信するために使用される。いくつかの例では、ネットワーク動作エンティティに関連付けられたすべてのワイヤレスノードは、それらの排他的なリソースの間に同時に送信し得る。
【００７０】
[0091]いくつかの例では、リソースは、あるネットワーク動作エンティティのために優先されたものとして分類され得る。あるネットワーク動作エンティティのための優先権を割り当てられたリソースは、そのネットワーク動作エンティティのための保証された間隔（Ｇ−ＩＮＴ）と呼ばれ得る。Ｇ−ＩＮＴの間にネットワーク動作エンティティによって使用されるリソースの間隔は、優先サブ間隔と呼ばれ得る。例えば、リソース３３５−ａは、それ故、オペレータＡのためのＧ−ＩＮＴ（例えば、Ｇ−ＩＮＴ−ＯｐＡ）と呼ばれ得る。同様に、リソース３３５−ｂは、オペレータＢのために優先され得、リソース３３５−ｃは、オペレータＣのために優先され得、リソース３３５−ｄは、オペレータＡのために優先され得、リソース３３５−ｅは、オペレータＢのために優先され得、そして、リソース３３５−ｆは、オペレータＣのために優先され得る。
【００７１】
[0092]図３に例示される様々なＧ−ＩＮＴリソースは、それらそれぞれのネットワーク動作エンティティに関連付けられたそれらを例示するようにジグザグに配置されるように見えるが、それらのリソースがすべて、同じ周波数帯域幅上にあり得る。したがって、時間周波数グリッドに沿ってみられる場合、Ｇ−ＩＮＴは、スーパーサブフレーム３０５内で連続的なラインとして見え得る。データのこの区分化は、時間分割多重（ＴＤＭ）の例であり得る。また、リソースが同じサブ間隔（例えば、リソース３４０−ａおよびリソース３３５−ｂ）内に現れるとき、それらのリソースは、スーパーサブフレーム３０５に関して同じ時間リソース（例えば、同じサブ間隔３２０を占めるリソース）を表すが、リソースは、同じ時間リソースが異なる動作のために異なって分類されることができることを例示するように別々に指定される。
【００７２】
[0093]リソースがあるネットワーク動作エンティティ（例えば、Ｇ−ＩＮＴ）のために優先権を割り当てるとき、そのネットワーク動作エンティティは、任意の媒体センシングプロシージャ（例えば、ＬＢＴまたはＣＣＡ）を待つまたは実行すること無しにそれらのリソースを使用して通信し得る。例えば、オペレータＡのワイヤレスノードは、オペレータＢまたはオペレータＣのワイヤレスノードから干渉を受けずにリソース３３５−ａの間に、自由に任意のデータまたは制御情報を通信することができる。
【００７３】
[0094]ネットワーク動作エンティティはさらに、それが特定のＧ−ＩＮＴを使用する意図を、別のオペレータにシグナルし得る。例えば、リソース３３５−ａを参照すると、オペレータＡは、それがリソース３３５−ａを使用する意図を、リソースオペレータＢおよびオペレータＣにシグナルし得る。そのようなシグナリングは、アクティビティインジケーションと呼ばれ得る。さらに、オペレータＡがリソース３３５−ａにわたって優先権を有するので、オペレータＡは、オペレータＢおよびオペレータＣの両方より高い優先権オペレータとみなされ得る。しかしながら、上で議論したように、オペレータＡは、リソース３３５−ａがオペレータＡに優先権を割り当てられるので、リソース３３５−ａの間の干渉の無い送信を保証するために他のネットワークオペレータにシグナリングを送る必要がない。
【００７４】
[0095]同様に、ネットワーク動作エンティティは、それが特定のＧ−ＩＮＴを使用しな意図を、別のネットワークオペレータにシグナルし得る。このシグナリングはまた、アクティビティインジケーションと呼ばれ得る。例えば、リソース３３５−ｂを参照すると、オペレータＢは、たとえリソースがオペレータＢに優先権を割り当てられるとしても、それが通信のためにリソース３３５−ｂを使用しない意図を、オペレータＡおよびオペレータＣにシグナルし得る。リソース３３５ｂを参照して、オペレータＢは、オペレータＡおよびオペレータＣより高い優先権のネットワーク動作エンティティとみなされ得る。このようなケースでは、オペレータＡおよびＣは、日和見ベースでサブ間隔３２０のリソースの使用を試み得る。したがって、オペレータＡの観点から、リソース３３５−ｂを包含するサブ間隔３２０は、オペレータＡのための日和見間隔（Ｏ−ＩＮＴ）（例えば、Ｏ−ＩＮＴ−ＯｐＡ）とみなされ得る。例示的な目的として、リソース３４０−ａは、オペレータＡのためのＯ−ＩＮＴを表す。さらに、オペレータＣの観点から、同じサブ間隔３２０は、対応するリソース３４０−ｂを持つオペレータＣのためのＯ−ＩＮＴを表す。リソース３４０−ａ、３３５−ｂ、および３４０−ｂはすべて、同じ時間リソースを表すが、同じリソースがいくつかのネットワーク動作エンティティのためのＧ−ＩＮＴとみなされ、なおかつ他のエンティティのためのＯ−ＩＮＴとみなされ得ることを意味するように別々に識別される。
【００７５】
[0096]日和見ベースでリソースを利用するために、オペレータＡおよびオペレータＣは、データを送信する前に特定のチャネル上での通信をチェックするために媒体センシングプロシージャを実行し得る。例えば、オペレータＢがリソース３３５−ｂ（例えば、Ｇ−ＩＮＴ−ＯｐＢ）を使用しないと判定する場合、その後、オペレータＡは、干渉のためのチャネルを第１のチェック（例えば、ＬＢＴ）することと、その後、チャネルがクリアであると決定された場合、データを送信することによってそれらの同じリソース（例えば、リソース３４０−ｂによって表される）を使用し得る。同様に、オペレータＣが、オペレータＢがそのＧ−ＩＮＴを使用しなかったとのインジケーションに応答して、サブ間隔３２０の間に日和見ベースでリソースにアクセスしたいと望む（例えば、リソース３４０−ｂによって表されるＯ−ＩＮＴを使用したいと望む）場合、オペレータＣは、媒体センシングプロシージャを実行し、利用可能な場合、リソースにアクセスする。いくつかのケースでは、２つのオペレータ（例えば、オペレータＡおよびオペレータＣ）は、同じリソースにアクセスするよう試み得る、そのようなケースでは、オペレータは、干渉する通信をさけるように競合ベースプロシージャを採用し得る。オペレータはまた、より多くのオペレータが同時にアクセスを試みる場合、どのオペレータがリソースへのアクセスを得るかを決定するために設計されたそれらに割り振られたサブ優先権を有し得る。
【００７６】
[0097]いくつかの例では、ネットワーク動作エンティティは、それに割り当てられた特定のＧ−ＩＮＴを使用しないことを意図し得るが、リソースを使用しない意図を伝達するアクティビティインジケーションを送り得ない。このケースでは、特定のサブ間隔３２０について、より低い優先権の動作エンティティは、より高い優先権の動作エンティティがリソースを使用するかどうかを決定するためにチャネルをモニタするように構成され得る。より低い優先権の動作エンティティがＬＢＴ、またはより高い優先権の動作エンティティがそのＧ−ＩＮＴを使用しないことになる類似の方法を通して決定する場合、その後、より低い優先権の動作エンティティは、上で説明したように、日和見ベースででリソースにアクセスするように試み得る。
【００７７】
[0098]いくつかの例では、Ｇ−ＩＮＴまたはＯ−ＩＮＴへのアクセスは、予約信号（例えば、送信要求（ＲＴＳ：request-to-send）／送信可（ＣＴＳ：clear-to-send）によって処理され得、競合ウィンドウ（ＣＷ）は、動作エンティティのうちの総数と、１つとの間でランダムに選択され得る。
【００７８】
[0099]いくつかの例では、動作エンティティは、協調マルチポイント（ＣｏＭＰ）通信を採用し得る、またはＣｏＭＰと互換性があり得る。例えば、動作エンティティは、必要に応じて、Ｏ−ＩＮＴにおける日和見ＣｏＭＰおよびＧ−ＩＮＴにおけるＣｏＭＰおよび動的時分割二重（ＴＤＤ）を採用し得る。
【００７９】
[00100]図３において例示される例では、各サブ間隔３２０は、オペレータＡ、Ｂ、またはＣのうちの１つのためのＧ−ＩＮＴを含む。しかしながら、いくつかのケースでは、１つまたは複数のサブ間隔３２０は、独占使用のために予約されず、優先使用のために予約されないリソース（例えば、割り当てられないリソース）を含み得る。このような割り当てられないリソースは、任意のネットワーク動作エンティティのためのＯ−ＩＮＴとみなされ、上で説明したように日和見ベースでアクセスされ得る。
【００８０】
[00101]いくつかの例では、各サブフレーム３２５は、１４シンボル（例えば、６０ｋＨｚトーン間隔について２５０−μｓ）を包含し得る。これらのサブフレーム３２５は、スタンドアローンであり、自立型の（self-contained）間隔Ｃｓ（ＩＴＣｓ）またはサブフレーム３２５は、長期ＩＴＣの一部であり得る。ＩＴＣは、ダウンリンク送信で自立型の送信で開始しアップリンクで終了し得る。いくつかの実施形態では、ＩＴＣは、媒体占有に連続的に作用する１つまたは複数のサブフレーム３２５を包含し得る。いくつかのケースでは、２５０−μｓ送信機会を仮定すると、（例えば、２ｍｓの持続時間を持つ）Ａ−ＩＮＴ３１０において最大８つのネットワークオペレータがあり得る。
【００８１】
[00102]３つのオペレータが図３中に例示されるが、より少ないまたはより多いネットワーク動作エンティティが上で説明したように協調された方法において動作するように構成され得ることが理解されるべきである。いくつかのケースでは、各オペレータのためのスーパーサブフレーム３０５内のＧ−ＩＮＴ、Ｏ−ＩＮＴ、またはＡ−ＩＮＴのロケーションは、システムにおいてアクティブなネットワーク動作エンティティの数に基づいて自立的に決定される。例えば、ただ１つのネットワーク動作エンティティがある場合、各サブ間隔３２０は、その単一ネットワーク動作エンティティのためのＧ−ＩＮＴによって占有される、またはサブ間隔３２０は、そのネットワーク動作エンティティのためのＧ−ＩＮＴと、他のネットワーク動作エンティティが入ることを許可するＯ−ＩＮＴとの間で交互に入れ替わり得る。２つのネットワーク動作エンティティがある場合、サブ間隔３２０は、第１のネットワーク動作エンティティのためのＧ−ＩＮＴと、第２のネットワーク動作エンティティのためのＧ−ＩＮＴとの間で交互に入れ替わり得る。３つのネットワーク動作エンティティがある場合、各ネットワーク動作エンティティのためのＧ−ＩＮＴおよびＯ−ＩＮＴは、図３に例示されるように設計され得る。４つのネットワーク動作エンティティがある場合、最初の４つのサブ間隔３２０は、４つのネットワーク動作エンティティのための連続したＧ−ＩＮＴを含み、残りの２つのサブ間隔３２０は、Ｏ−ＩＮＴを包含し得る。同様に、５つのネットワーク動作エンティティがある場合、最初の５つのサブ間隔３２０は、５つのネットワーク動作エンティティのための連続したＧ−ＩＮＴを含み、残りのサブ間隔３２０は、Ｏ−ＩＮＴを含み得る。６つのネットワーク動作エンティティがある場合、６つすべてのサブ間隔３２０は、各ネットワーク動作エンティティのための連続したＧ−ＩＮＴを含み得る。これらの例は、例示の目的であり、他の自律的に決定された間隔割り振りが使用され得ることが理解されるべきである。
【００８２】
[00103]図３を参照して説明された協調フレームワークが例示の目的のみのためであることが理解されるべきである。例えば、スーパーサブフレーム３０５の持続時間は、２０ｍｓより長い、または短くなり得る。さらに、サブ間隔３２０およびサブフレーム３２５の数、持続時間、およびロケーションは、例示された構成と異なり得る。さらに、（例えば、排他的な、優先された、割り当てられない）リソース指定のタイプは、異なる、またはより多くまたはより少ないサブ指定を含み得る。
【００８３】
[00104]本開示の態様は、免許スペクトルおよび共有スペクトルにおける協調ワイヤレスネットワークおよび非協調ワイヤレスネットワークの共存のための媒体予約フレームワークに向けられる。提案された媒体予約フレームワークは、ノード毎に異なる数のＴｘ／Ｒｘアンテナを持つ動作レジームを有機的に考慮し、媒体競合積極性および省電力をトレードオフすることをフレキシブルに提供し、ＮＲの固有同期性質を活用し、協調動作シナリオおよび非協調動作シナリオの両方をカバーする。この非協調動作は、同期／協調しないネットワークノードを持つ異なるＮＲオペレータを有するネットワークにおいて生じる。対照的に、協調動作は、ファイバーバックホールによるおよび／または無線にわたる協調メカニズムを有し、強調した異なるＮＲオペレータを有するネットワークにおいて生じる。開示された媒体予約フレームワークは、異なるタイプのトラフィックに異なって適用されることができることが想定される。例えば、発見信号（ＤＲＳ）、ページング、類似の手続きメッセージは、省電力のためにより予測可能なタイミングおよびより高度な保護で取り扱われることができ得る。
【００８４】
[00105]実験からの観測は、ｅＮＢ／ＵＥでの４×４Ｔｘ／Ｒｘで、エネルギー検出およびＲＴＳ／ＣＴＳメカニズムが次善の結果を生じ、ＬＢＴが緩やかにされることができることを明らかにする。統計的解析は、所望の動作レジームがより低いＭＩＭＯランクおよびより高い空間再利用を好むことを示す。しかしながら、再利用１は、安定した動作モードではない。必要とされるものは、より多数のアンテナで動作することを有機的に捕獲する共存スキームである。
【００８５】
[00106]図４を参照すると、本開示の媒体予約フレームワークは、１つまたは複数の同期信号４２２、４２６、４３０を含む、いくつかの基本構成ブロックに重点が置かれ得、それは、異なるオペレータが、各々の他の予約メッセージを復号することを可能にする非協調動作のために使用され得る。予約フレームワークの追加の基本構成ブロックは、予約要求信号（ＲＲＱ）４２４、１つまたは複数の予約応答信号（ＲＲＳ）４２８、４３２のような予約メッセージを含む。
【００８６】
[00107]図５Ａを参照して、動作の例は、ｇＮＢによって、同期信号に続いてＲＲＱの送信を含む。その後、ＵＥは、別の同期信号に続いてＲＲＳを送信することによってＲＲＱに応答する。その後、データ送信は、例えば、ダウンリンクデータ送信５０４に続いてアップリンクデータ送信５０６が生じる。
【００８７】
[00108]図４に戻って、１つまたは複数のｇＮＢ４０５ａ、４０５ｂがＲＲＱおよびＲＲＳのような、メッセージの交換のための動作グリッドを採用し得ることが想定される。動作グリッドがないまたはそれらが単に動作グリッドシンボル境界でアラインされるような、ＲＲＱ／ＲＲＳが連続的にフローティングしている（floating）場合、その後、同期信号は、−６ｄＢ信号対ノイズ比（ＳＮＲ）で送信されなければならない。しかしながら、ＲＲＱ／ＲＲＳが動作グリッドのスロットまたはフレーム境界でアラインされる場合、その後、同期信号は単に、ノイズフロアより上であるＳＮＲで送信される必要がある。したがって、ｇＮＢ４０５ａは、ＲＲＱがシンボル境界、スロット境界、またはフレーム境界のような、スロット境界のサブセットとアラインするかどうかを含む、グリッド特性をＵＥ４１５ａに通知する、ＵＥ４１５ａへの動作グリッド構成４２０を送信し得る。この情報を用いて、ＵＥは、指定されたグリッドの境界上でＲＲＱを探す必要があるのかどうか、さもなければスリープすることができるかどうかを決定することができる。ＲＲＱが単に、シンボル境界でアラインされる場合、その後、動作は、ＵＥがＲＲＱをほぼ必ず探すフローティングＲＲＱのケースと類似する点において関係しているトレードオフがある。したがって、ＲＲＱのための潜在的なロケーションがより頻繁なほど、ＵＥ側での電力消費がより高くなるが、ｇＮＢが媒体にアクセスすることができるより高い水準の機会がさらに存在する。したがって、近隣ノードのトラフィックアクティビティ、スループット要求、および／またはトラフィック負荷に依存して、ｇＮＢは、ＲＲＱグリッドを適応させることができる。孤立したセルでは、例えば、ｇＮＢは、シンボル境界の代わりにスロットまたはフレーム境界でＲＲＱをアラインすることによってよりまばらに割り振られるべきＲＲＱを定義することができる。
【００８８】
[00109]同期信号４２２、４２６、４３０は、潜在的なジャマ―／被害者になる異なるオペレータからの他のノードによる早いタイミングおよび周波数検出を提供する。このような信号は、干渉とみなされることができる最低の受信信号強度インジケータ（ＲＳＳ）レベルで検出されるべきである。ＲＲＱがシンボル境界でアラインする場合、同じオペレータからのＵＥ／ｇＮＢは、この同期信号を復号する必要がなく、それは、ＷｉＦｉ（登録商標）と比較して利点を提示する。ＲＲＱ４２４に先立つ同期信号４２２は、その持続時間がＲＲＳ４２８のための同期信号４２６の持続時間より長くなることができるように、次のシンボル境界まで拡張されることができる。
【００８９】
[00110]同期信号検出しきい値に関して、０ｄＢ  ＳＮＲは、それがノイズフロアより低い干渉を黙らせる必要がないので、同期信号を検出するために十分に保守的であるべきである。しかしながら、ＲＲＱ４２４が連続的にフローティングしているケースについて、同期信号４２２は、同じオペレータからのＵＥ／ｇＮＢによって検出される必要がある。このケースでは、−６ｄＢ検出しきい値が必要である。同期信号が最小電力消費のための無線起動信号に類似する必要がある。ｇＮＢは、波形設計および復号器の複雑さ／タイムラインのためのＰＨＹスコーピングの後で検出しきい値に関する決定を行うことができる。
【００９０】
[00111]非協調動作について、ＲＲＱ４２４検出しきい値は、それが同じオペレータ／ネットワーク／ｇＮＢからのＵＥによって検出される必要があるので、ＰＤＣＣＣＨと同様に、−６ｄＢ検出である。ＲＲＱは、ＲＲＳ４２８、４３２を送るようにＵＥ４１５ａ、４１５ｂをトリガするように機能する。ＲＲＱ４２４は、送信機会（ＴｘＯｐ）持続時間を提供し、１６スロットまで予約する４ビットメッセージに加えて８ビットセル基準信号（ＣＲＳ）およびおよびＱＰＳＫ１／３→１８基準信号（ＲＳ）トーンとしてインプリメントされ得るネットワーク割り振り割り振りベクトル（ＮＡＶ）を搬送する。これらのＲＳトーンは、ＮＡＶを復号し、粗い干渉共分散行列（Ｒｎｎ）を計算する際に、ＵＥ４１５ａおよび４１５ｂによって使用され得る。いくつかの態様では、ＲＲＱがさらに、ｇＮＢ４０５ａとＵＥ４１５ａとの間で交換される送信のデータ部分において使用されるランクを搬送することができるプリコード化チャネル状態情報（ＣＳＩ）−ＲＳを含み得ることが描かれる。ＣＳＩ−ＲＳは、これらのＲｎｎ推定において、ＵＥ４１５ｂのような他のノードで使用され得る。例えば、ＵＥ４１５ｂは、各レイヤのための変調符号化スキーム（ＭＣＳ）を決定するためにＣＳＩ−ＲＳを使用し、ｇＮＢ４０５ａがビームフォーミング選択のためにその情報を使用し得るように、ＲＲＳ４３２におけるフィードバックとしてこの情報を含むことができる。しかしながら、このＣＳＩ−ＲＳは、後で説明されるように協調動作のために潜在的により必要とされる。
【００９１】
[00112]さらに非協調動作に関して、ＲＲＳ信号４２８、４３２の検出は、−６ｄＢＳＮＲで生じる必要がある。ＲＲＳは、ＵＥによって推定された干渉のインジケーションによって変調されたプリコード化サウンディング基準信号（ＳＲＳ）を搬送するように機能する。プリコード化ＳＲＳが干渉電力でのみ変調され得ることが想定される。しかしながら、目下、粗い干渉共分散行列の逆数（Ｒｎｎ−１／２）によってプリコード化ＳＲＳを変調するのが好まれる。ＲＲＳはまた、ＮＡＶ復号のための制御ＲＳおよびＮＡＶを搬送する。ｇＮＢ４０５ａは、そのサービスを提供するＵＥ４１５ａからＲｎｎ−１／２Ｈを有するＲＲＳ４２８を受信する。ここで、Ｈは、ｇＮＢ４０５ａとＵＥ４１５ａとの間のチャネルの推定のためのチャネル推定式である。このインプリメンテーションは、効果的な信号対干渉ノイズ比（ＳＩＮＲ）ポスト最小平均二乗誤差（ＭＭＳＥ）を通信し、プリコーダ、ランク、およびＭＣＳ４３８の選択のために活用されることができ、それらについて、正確さが日付次第であるＲｎｎに依存する。ｇＮＢ４０５ａはまた、Ｒｎｎ−１／２Ｇを有するＲＲＳ４３２を受信する。ここで、Ｇは、ジャマ―としての、ｇＮＢ４０５ａと、被害受信機としての、ＵＥ４１５ｂとの間のチャネルの推定のためのチャネル推定式である。このインプリメンテーションは、ＵＥ４１５ｂでの名目上のと比較した干渉寄与をｇＮＢ４０５ａに通信する。Ｒｎｎがホワイトノイズに対応する特別なケースでは、Ｒｎｎ−１／２Ｇは、｜Ｇ｜２／σｎ２に低減され、これは、ＵＥ４１５ｂとそのサービングｇＮＢ４０５ｂとの間のワイヤレス通信に、干渉レベルの追加の上昇になる、すなわち、必要とされる場合、ｇＮＢ４０５ａに送信電力を低減することを許可する、ｇＮＢ４０５ａの送信４４０のに起因する。概して、有色Ｒｎｎについて、ｇＮＢ４０５ａは、ＵＥ４１５ｂから、空間次元毎に｜Ｇ｜２／σｎ２の同価値を受信し、それは、必要とされる場合、ｇＮＢ４０５ａに、送信電力に加えてランク次元を低減することを許可する。
【００９２】
[00113]ＵＥ４１５ａおよびＵＥ４１５ｂは、ＲＲＱ４２４におけるＲＳトーンにわたってそのそれぞれのＲｎｎを各々計算することができる。ＵＥ４１５ａおよび／または４１５ｂは、ＴｘＯｐ内で干渉変動を予測することができ、その後、それぞれのＲｎｎ計算は、この予測を考慮することができる。したがって、ＲＮＮは、干渉予測のために潜在的に使用されることができる。さらに、データ（ＮＡＶ）がＳＲＳで周波数分割多重されることができない場合、その後、ＲＲＳ４２８、４３２は、２つのシンボルである必要があり得る。
【００９３】
[00114]開示される媒体予約フレームワークに関するコンポーネントキャリアアグリゲーション（ＣＣＡ）ルールに関して、プリコード化ＳＲＳ送信は、ＲＲＳ信号を制御する電力であると考えられることができる。例えば、ノードが高い干渉を許容できない場合、それは、より高い電力で送信することができる（例えば、セルエッジ）。反対に、ノードが高い干渉を許容できる場合、それは、より低い電力で送信することができる（例えば、セル中心）。近隣ｇＮＢは、Ｒｎｎ−１／２Ｇの固有値を探査し、しきい値とそれらを比較し、その送信ランクおよびレイヤごとのその送信電力を決定することができる。このようなしきい値は、ワイヤレス通信基準において定義され、許容できる干渉上昇を定義し得る。
【００９４】
[00115]図５Ｂを参照して、２つ以上のＵＥからのＲＲＳがＴｘＯｐにおいて多重化され得ることが想定される。ＵＥがＴｘＯｐにおいて多重化することを可能にする１つの方法は、異なるＵＥからのＲＲＳ５０２Ａおよび５０２Ｂについて、周波数分割多重されるようにすることである。このインプリメンテーションは、ＵＥのデータ５０４Ａおよび５０４ＢのためのＦＤＭとペアにされることができる。異なるＵＥは、ＲＲＱ５２０中に割り振られたリソースに依存する異なるＮＡＶ持続時間を有し得る。代替は、時間ドメインにおいてＵＥを多重化することであり、それは、リンクが媒体を過度に予約できないような、より小さなＴｘＯｐにＴｘＯｐを分割することを要求する。
【００９５】
[00116]非協調動作におけるアップリンク（ＵＬ）トラフィックについて、ＵＬのための媒体を予約するためにＲＲＳとして働くことができる別のＲＲＱが使用され得る。ＵＥ多重化は、ｇＮＢがＵＬケースにおいて共通受信機であるので、ＴＤＭまたはＦＤＭであるかどうか、このケースにおいて単純である。このようなインプリメンテーションについて、ＴｘＯＰ内でトラフィック方向を切り替えること（例えば、スロットベース毎に決定されるＤＬ／ＵＬ）は、各部分のための異なるＲＲＱ／ＲＲＳを使用することを要求し得る。保守的なアプローチは、ＴｘＯＰの開始時にＲＲＱとＲＲＳの両方から媒体を予約し得る。このアプローチは、特に、超高信頼低遅延通信（ＵＲＬＬＣ：ultra-reliable and low latency communication）をサポートする場合、より多くのスケジューラフレキシビリティを可能にする一方、全体のネットワーク効率に影響を及ぼす。
【００９６】
[00117]いくつかのインプリメンテーションでは、非協調動作について、異なる保護領域がディーププリアンブルを使用することによって採用され得ることが想定される。例えば、ページングの前の、発見信号についておよび重要なメッセージについて、ｇＮＢに関連付けられたＵＥのための潜在的ジャマ―を黙らせることができるディープ予約信号が送られることができる。このケースについて、同期信号はまた、−６ｄＢ  ＳＮＲで検出される必要があり得る。したがって、ディーププリアンブルは、非常に低いレベル（例えば、隠されたノードから保護するためにー１０ｄＢ  ＳＮＲ）で検出されることができる特定のプリアンブルである、より少ない頻度のメッセージのために使用され得る。ＮＡＶは、プリアンプルから暗黙的なものであり、仮説検証を低減するために、暗黙的なＮＡＶがわずかなＮＡＶ持続時間（例えば、１スロット、２スロット）を搬送し得る。これらのより少ない頻度の信号のための単一ＣＣＡ競合を許容するために、ｇＮＢは、起動時、媒体にリッスンし、これらのディーププリアンブルのロケーションを識別し、これらのロケーションにおける競合を周期的に避けることができる。
【００９７】
[00118]非協調動作におけるレート制御は、ＲＲＳ上のＲｎｎフィードバックとデータ上で見られる干渉との間の不一致に起因する問題であり得る。予測された干渉と実際の干渉との間のこの不一致を軽減する１つの方法は、ＴｘＯＰ内で送られるプリコード化ＳＲＳと共にＲｎｎ／ＭＣＳフィードバックを更新することであり得る。代替または追加として、１０％パケット誤り率（ＰＥＲ）目標と比較してアウターループランク制御に改善がなされ得る。
【００９８】
[00119]図５Ｃを参照して、協調動作は、同期信号が必要としない利益を享受する。さもなければ、媒体予約フレームワークは、非協調動作のために上で説明した同じＲＲＱ／ＲＲＳ設計を活用し得る。しかしながら、予約は主に、制御干渉にわたるデータを避け、より高いロバストネスを提供するために制御領域５４０Ａ、５４０Ｂ中に生じ得る。制御領域は、少数のオペレータ（例えば、２）のために次元化され得る。したがって、プライマリオペレータのためのＲＲＱ５４４およびＲＲＳ５４６と、セカンダリオペレータのためのＲＲＱ５４８およびＲＲＳ５５０は、制御領域５４０Ａにおいて交換され得る一方、他のオペレータは、それらが制御領域中でＲＲＱ／ＲＲＳを検出しない場合、データ領域５４２中でのみ競合され得る。競合に基づく優先度（競合ウィンドウサイズ）は、プライマリオペレータおよびセカンダリオペレータのためにより高い優先度でインプリメントされ、残りのオペレータは、等しいおよびより低い優先度を与えられ得る。
【００９９】
[00120]他のノードにＲＲＱからのＲｎｎを計算し、ＲＲＱ上で見られる干渉とデータとの間の不一致を最小化することを許可するように測定が取られ得ることが想定される。例えば、そして前に述べたように、ＲＲＱは、（これがまた、ＲＲＳ／ＣＳＩにおけるＵＥフィードバックに基づいて調整されることができるにもかかわらず）ｇＮＢがデータ５５２のために使用することを意図するランクに類似するランクを有することができるプリコード化ＣＳＩ−ＲＳを搬送し得る。残りの不一致がアウターループランク制御によって取り扱われ得ることが想定される。このＣＳＩ−ＲＳは、ＲＲＱが既に、他のノードのデータからの干渉を潜在的にみることになるので、非協調動作においてより少なく必要である。
【０１００】
[00121]図５Ｄを参照して、ｇＮＢがＴｘＯｐのデータ領域を満たすために十分なデータ５８０を有しない場合、その後、制御領域５６０ＡのＲＲＱ／ＲＲＳ５７２、５７４、５７６、５７８におけるＮＡＶを見た他のｇＮＢは、ＴｘＯｐのデータ領域５６２の残り５８４のために競合することができる。この競合メカニズムは、衝突を低減するためにこれらのｇＮＢの間の優先ランダムアクセスを使用し得る。しかしながら、この日和見送信は、次の制御領域５６０Ｂの開始前に終了しなければならない。さらに、同じオペレータのｇＮＢについて、ソフト再利用は、有色間のランダム競合または同じＲＲＱ／ＲＲＳフォーマットを使用する個別のノードによってデータ領域において達成されることができる。ここで、より高性能な自己最適化ネットワーク（ＳＯＮ）が有色レベルで競合する必要があるという点で、ＳＯＮ複雑性とトレードオフがある。また、再利用１は、特別なケースである。
【０１０１】
[00122]動作の非協調モードにおける協調マルチポイント（ＣｏＭＰ）に関して、ＣｏＭＰクラスタの構成のために想定された２つのオプションがある。１つのオプションは、別個に競合し、それ自身のＮＡＶを維持するためにクラスタにおける各ノードのためのものである。したがって、任意の時刻で、期限の切れた現在のＮＡＶを持つノードを使用するか最も大きなＮＡＶを使用し待機するかを選択するスケジューラである。期限の切れた現在のＮＡＶを持つノードを優先的にスケジューリングすることは、より小さいクラスタサイズを要求するが、媒体にアクセスするためにｇＮＢのためにより高水準な機会を提供する。しかしながら、最も大きなＮＡＶを優先的にスケジューリングすることは、より大きなクラスタサイズを許容するが、媒体を失うｇＮＢのリスクが増大する。これらのスケジューリング選択は、様々な方法で組合されることが想定される。別のオプションは、完全競合で動いている、クラスタにおけるただ１つのノードのためのであり、スケジューラは、クラスタヘッドとしてこのノードを指定し得る。クラスタヘッドが媒体をクリアにするとき、それがＲＲＱを送り、クラスタにおけるノードの残りの追加の送信が、所定の干渉レベルしきい値を超えるのを避けることになると決定する場合のみ、それらがクラスタに参加することを示すために、本明細書でＣｏＭＰ  ＲＲＳと呼ばれる、メッセージを送ることによって、このＲＲＱに応答し得る。クラスタのヘッドが例えば、クラスタサイズに基づくことができる公平なメカニズムを動的に使用して変更できることが想定される。このオプションの利点は、より大きなクラスタサイズであるが、より多くの干渉を潜在的に作ることを犠牲にしている。これらの損得は、キャリアセンシング適応送信（ＣＳＡＴ）からの概念を使用するような、媒体利用に基づいて媒体により少なくアクセスするのと等価であることができる。
【０１０２】
[00123]図６Ａを参照して、ＵＥによって行われるプロセスは、ブロック６００で、ＵＥにおいて、ｇＮＢによって送信された同期信号を受信することで開始し得る。処理は、ブロック６０２で、同期信号を受信した後のＵＥにおいて、ｇＮＢによって送信されたＲＲＱを受信することによって続行し得る。ＲＲＱは、ＮＡＶと、ＮＡＶの復号を可能にする制御ＲＳとを含み得る。いくつかの実例では、ＲＲＱはまた、サービングセルへのＵＥの間のワイヤレス通信のデータ部分を使用してランクを搬送し、ＵＥによってＲｎｎの計算を容易にするプリコード化ＣＳＩ−ＲＳを含むことが想定される。処理はその後、ブロック６０４で、ＵＥが、ＲＲＱを復号するために同期信号を使用することによって続行し得る。処理はその後、ブロック６０６で、ＵＥが、別の同期信号を送信することによって続行し得る。処理はその後、ブロック６０８で、ＲＲＱに応答し、他の同期信号を送信した後のＵＥが、ＲＲＳを送信することによって続行し得る。いくつかのインプリメンテーションでは、ＵＥは、ＲＲＱが制御領域中で受信されたかどうかを決定し、ＲＲＱが制御領域中で受信されたとの決定に応答して、ＵＥは、制御領域中でＲＲＳを送信し得る。さもなければ、ＲＲＱが制御領域中で受信しなかったとの決定に応答して、ＵＥは、データ領域中でＲＲＳを送信し得る。ＲＲＳは、ＮＡＶと、ＮＡＶの復号を可能にする制御ＲＳとを含み得る。いくつかの実例では、ＲＲＳは、ＮＡＶによって識別されたＴｘＯｐにおいて、他のＵＥによって送信される他のＲＲＳと多重化され得る。ＲＲＳは、ＵＥによって推定された干渉のインジケーションによって変調されたプリコード化ＳＲＳを搬送する。好ましくは、干渉のインジケーションは、Ｒｎｎ−１／２に対応する。ｇＮＢがＵＥをサービスするサービングセルｇＮＢであるケースでは、Ｒｎｎ−１／２は、ＵＥとサービングｇＮＢとの間のワイヤレス通信のための効果的なＳＩＮＲポストＭＭＳＥを通信する。ｇＮＢがＵＥをサービスしない近隣ｇＮＢであるケースでは、Ｒｎｎ−１／２は、近隣ｇＮＢによる送信に起因する、ＵＥとサービングｇＮＢとの間のワイヤレス通信に、干渉レベルの増加を通信する。いくつかの実例では、有色ノイズのためのような、Ｒｎｎ−１／２は、空間次元毎に、干渉レベルの増加の等価値を含み、それによって、近隣ｇＮＢが、所定の干渉レベルしきい値を超えるのを避ける方法で、レイヤ毎に送信ランクおよび送信電力を決定できるようにする。
【０１０３】
[00124]図６Ｂを参照して、サービングｇＮＢによって行われるプロセスは、ブロック６２０で、ｇＮＢによって同期信号を送信することで開始し得る。処理はその後、ブロック６２２で、ｇＮＢがＵＥに、ＲＲＱを送信することによって続行し得る。ＲＲＱは、ＮＡＶと、ＮＡＶの復号を可能にする制御ＲＳとを含み得る。いくつかの実例では、ＲＲＱは、ＵＥとｇＮＢとの間のワイヤレス通信のデータ部分において使用されるランクを搬送し、ＵＥによるＲｎｎの計算を容易にするプリコード化ＣＳＩ−ＲＳを含み得る。ｇＮＢが、アップリンクおよびダウンリンクトラフィックのための１つまたは複数の通信媒体を予約するために異なるＲＲＱを送信し得ることがさらに想定される。処理はその後、ブロック６２４で、ｇＮＢが、ＵＥによって送信された別の同期信号を受信することによって続行し得る。処理はその後、ブロック６２６で、ｇＮＢが、ＲＲＱに応答するＵＥによって送信されたＲＲＳを検出することによって続行し得、ＲＲＳは、ＵＥによって推定された干渉のインジケーションによって変調されたプリコード化ＳＲＳを含む。好ましくは、干渉のインジケーションは、Ｒｎｎ−１／２に対応する。ｇＮＢが、−６デシベル（ｄＢ）信号対ノイズ比（ＳＮＲ）でＲＲＳを検出することが想定される。いくつかの実例では、ｇＮＢは、ＮＡＶによって識別されたＴｘＯｐにおいて、他のＵＥによって送信された他のＲＲＳと多重化されるＲＲＳを検出し得る。処理はその後、ブロック６２８で、ｇＮＢによって、ＲＲＳを復号するために別の同期信号を使用することによって続行し得る。処理はその後、ブロック６３０で、ＵＥとｇＮＢとの間の通信について、プリコーダ、ランク、および／またはＭＣＳを選択するために干渉のインジケーションを採用することによって続行し得る。ｇＮＢが別のｇＮＢと同期したイベントでは、処理は、ブロック６３２で、ｇＮＢが、制御領域において、別のＵＥによってサービスされる別のＵＥと、別のｇＮＢとの間で交換される別のＲＲＱおよび別のＲＲＳを観測することによって続行し得る。処理はその後、ブロック６３４で、ｇＮＢが、別のｇＮＢが別のＲＲＱおよび別のＲＲＳによって識別されたＴｘＯｐを埋めるために十分なデータを有していないと決定することによって続行し得る。処理はその後、ブロック６３６で、ｇＮＢが、ＴｘＯｐの残りにおいて送信のために競合することによって続行し得る。ｇＮＢおよび他のｇＮＢが同じオペレータのものである場合、その後、競合は、ＲＲＱおよびＲＲＳの交換を包含するメカニズムを採用するソフト再利用プロシージャに従って生じ得る。さもなければ、ｇＮＢおよび別のｇＮＢが異なるオペレータのものである場合、その後、競合は、べつのオペレータの１つまたは複数のｇＮＢで優先ランダムアクセスプロシージャに従って生じ得る。
【０１０４】
[00125]図６Ｃを参照して、近隣ｇＮＢによって行われる処理は、ブロック６６０で、ｇＮＢによって同期信号を送信することによって開始し得る。処理はその後、ブロック６６２で、ｇＮＢがＵＥに、ＲＲＱを送信することによって続行し得る。ＲＲＱは、ＮＡＶと、ＮＡＶの復号を可能にする制御ＲＳとを含み得る。いくつかのケースでは、ＲＲＱは、ＵＥがＲｎｎを計算すべきトーンを搬送するプリコード化ＣＳＩ−ＲＳを含み得る。処理はその後、ブロック６６４で、ｇＮＢが、ＵＥによって送信された別の同期信号を受信することによって続行し得る。処理はその後、ブロック６６６で、ｇＮＢが、ＲＲＱに応答するＵＥによって送信されたＲＲＳを検出することによって続行し得る。ｇＮＢは、−６ｄＢ  ＳＮＲでＲＲＳを検出する。ｇＮＢが、ＵＥによって送信されたＲＲＳを検出することは、ＮＡＶによって識別されたＴｘＯｐにおいて、別のＵＥによって送信された別のＲＲＳと多重化されるＲＲＳを検出することを含み得る。ＲＲＳは、ＵＥによって推定された干渉のインジケーションによって変調されたプリコード化ＳＲＳを含む。干渉のインジケーションは、ｇＮＢによる１つまたは複数のワイヤレス送信に起因する、ＵＥとサービングｇＮＢとの間のワイヤレス通信に、干渉レベルの増加を通信する。好ましくは、干渉のインジケーションは、Ｒｎｎ−１／２に対応する。いくつかのケースでは、有色ノイズのためのような、Ｒｎｎ−１／２は、空間次元毎に、干渉レベルの増加の等価値を含む。処理はその後、ブロック６６８で、ｇＮＢが、ＲＲＳを復号するために他の同期信号を使用することによって続行し得る。処理はその後、ブロック６７０で、ＲＲＳに応答するｇＮＢが、所定の干渉レベルしきい値を超えたワイヤレス通信への干渉を引き起こすことを避ける方法で、ワイヤレス送信を送信することによって続行し得る。Ｒｎｎ−１／２が、空間次元毎に、干渉レベルの増加の等価値を含むイベントでは、ｇＮＢは、所定の干渉レベルしきい値を超えるのを避ける方法で、レイヤ毎に送信ランクおよび送信電力を決定し得る。処理はその後、ブロック６７２で、ｇＮＢが、サービングｇＮＢへのＵＥによるアップリンク送信のために通信媒体を予約するために、ＵＥのサービングｇＮＢによって送信されたＲＲＱを検出することによって続行し得る。処理はその後、ブロック６７４で、ＲＲＱに応答するｇＮＢが、ＵＥによるアップリンク送信への干渉を低減する方法で、ワイヤレス送信を送信することによって続行し得る。ＵＥからその後に受信したＲＲＳは、ｇＮＢによって送信電力および／またはランクのさらなる減少をトリガし得ることが想定される。ｇＮＢが別のｇＮＢと同期したイベントでは、処理は、ブロック６７６で、ｇＮＢが、制御領域において、別のＵＥによってサービスされる別のＵＥと、別のｇＮＢとの間で交換される別のＲＲＱおよび別のＲＲＳを観測することによって続行し得る。処理はその後、ブロック６７８で、ｇＮＢが、別のｇＮＢが別のＲＲＱおよび別のＲＲＳによって識別されたＴｘＯｐを埋めるために十分なデータを有していないと決定することによって続行し得る。処理はその後、ブロック６８０で、ｇＮＢが、ＴｘＯｐの残りにおいて送信のために競合することによって続行し得る。ｇＮＢおよび他のｇＮＢが同じオペレータのものである場合、その後、競合は、ＲＲＱおよびＲＲＳの交換を包含するメカニズムを採用するソフト再利用プロシージャに従って生じ得る。さもなければ、ｇＮＢおよび別のｇＮＢが異なるオペレータのものである場合、その後、競合は、べつのオペレータの１つまたは複数のｇＮＢで優先ランダムアクセスプロシージャに従って生じ得る。
【０１０５】
[00126]図７Ａを参照して、ｇＮＢによって行われるプロセスは、ブロック７００で、１つまたは複数のＵＥのための動作グリッドをブロードキャストすることによって開始し得る。動作グリッドが、２つ以上のｇＮＢの全体のネットワークに共通であることが想定される。処理はその後、ブロック７０２で、ｇＮＢが、同期信号を送信することによって続行し得る。処理はその後、ブロック７０４で、同期信号の送信後のｇＮＢが、ＲＲＱを送信することによって続行し得る。ＲＲＱは、動作グリッドの１つまたは複数のスロット境界および／または１つまたは複数のフレーム境界でアラインされ、そのケースでは、ｇＮＢは、ブロック７０２で、０ｄＢ  ＳＮＲで同期信号を送信し得る。さもなければ、ＲＲＱが連続的にフローティングしているまたはシンボル境界でアラインされる場合、ｇＮＢは、ブロック７０２で、−６ｄＢｄで同期信号を送信し得る。ＲＲＱは、ＮＡＶと、ＮＡＶを復号するための制御ＲＳとを含み、同期信号は、ｇＮＢと協調されない１つまたは複数のノードがＲＲＱを復号できるようにし得る。処理はその後、ブロック７０６で、ｇＮＢが、ＵＥによって送信された同期信号を検出することによって続行し得る。処理はその後、ブロック７０８で、同期信号の送信の後のｇＮＢが、ＲＲＱに応答するＵＥによって送信されたＲＲＳを検出することによって続行し得る。処理はその後、ブロック７１０で、ｇＮＢが、ＲＲＳを復号するために同期信号を使用することによって続行し得る。処理はその後、ブロック７１２で、近隣ノードのトラフィックアクティビティ、スループット要求、またはトラフィック負荷のうちの少なくとも１つに基づいて動作グリッドを適応することによって続行し得る。
【０１０６】
[00127]図７Ｂを参照して、ＵＥによって行われるプロセスは、ブロック７５０で、ｇＮＢによってブロードキャストされた動作グリッドをＵＥが受信することによって開始し得る。ＲＲＱが動作グリッドのシンボル境界でアラインされる、または連続的にフローティングしている場合、その後、処理は、ブロック７５６にスキップし得る。さもなければ、ＲＲＱが動作グリッドの１つまたは複数のフレーム境界または１つまたは複数のスロット境界のうちの少なくとも１つでアラインされる場合、その後、処理は、ブロック７５２で、ＵＥが、グリッド境界の発生に最も近くない１つまたは複数の時間でスリープすることによって続行し得る。処理はその後、ブロック７５４で、ＵＥが、グリッド境界の発生に最も近い時間内でウェイクアップすることによって続行し得る。処理はその後、ブロック７５６で、ＵＥが、ｇＮＢによって送信された同期信号を検出することによって続行し得る。ＲＲＱが動作グリッドのシンボル境界でアラインされるまたは連続的にフローティングしている場合、その後、ＵＥは、−６ｄＢ  ＳＮＲで同期信号を検出し得る。さもなければ、ＲＲＱが動作グリッドの１つまたは複数のフレーム境界または１つまたは複数のスロット境界のうちの少なくとも１つでアラインされる場合、その後、ＵＥは、０ｄＢ信号対ノイズ比（ＳＮＲ）で同期信号を検出する。処理はその後、ブロック７５８で、同期信号の送信後のＵＥが、ｇＮＢによって送信されたＲＲＱを受信することによって続行し得る。ＲＲＱは、ＮＡＶと、ＮＡＶを復号するための制御ＲＳとを含み得る。処理はその後、ブロック７６０で、ＲＲＱを復号するために同期信号を使用することによって続行し得る。処理はその後、ブロック７６２で、ＲＲＱに応答するＵＥが、同期信号を送信することによって続行し得る。処理はその後、ブロック７６４で、ＲＲＱに応答してＲＲＳを送信することによって続行し得る。同期信号は、ＵＥと協調しない１つまたは複数の他のノードがＲＲＱを復号できるようにし得る。
【０１０７】
[00128]図８Ａを参照して、ｇＮＢによって行われる処理は、ブロック８００で、ワイヤレスノードが、少なくとも１つのワイヤレス通信リソース上でワイヤレスノードによって周期的に送信される必要のある、発見信号またはページング機会のような、１つまたは複数のワイヤレス信号を識別することによって開始し得る。処理はその後、８０２で、ワイヤレスノードが、ノードによって行われるべき周期的な送信の長さおよび周期性を識別することによって少なくとも１つのワイヤレス通信リソース上で他のノードを周期的に沈黙させるために、ディーププリアンブルを有する予約信号を送信することによって続行し得る。プリアンブルは、−１０ｄＢ  ＳＮＲで送信されるおよび／または少なくとも１つのＮＡＶがディーププリアンブルから暗示されるものであり得る。ディーププリアンブルから暗示される全てのＮＡＶの持続時間は、２スロット未満に限定され得ることが想定される。
【０１０８】
[00129]図８Ｂを参照して、ユーザ機器によって行われる処理は、ｇＮＢが、起動時、ディーププリアンブルを有し、ワイヤレス通信媒体上で少なくとも１つのワイヤレスノードによって送信される少なくとも１つの予約信号を検出することによって開始し得る。プリアンブルは、−１０ｄＢ  ＳＮＲで検出され得る。処理はその後、ブロック８５２で、ディーププリアンブルから暗示されたＮＡＶを決定することによって続行し、ＮＡＶは、少なくとも１つのワイヤレスノードによって行われるべき周期送信の長さおよび周期性を識別する。ディーププリアンブルから暗示される全てのＮＡＶの持続時間は、２スロット未満に限定されことが想定される。処理はその後、ブロック８５４で、ワイヤレス送信の長さおよび周期性に従って、ワイヤレス通信媒体上での競合を周期的に避けることによって続行し得る。
【０１０９】
[00130]図９Ａを参照して、ＣｏＭＰクラスタのスケジューラによって行われる処理は、ブロック９００で、ＣｏＭＰクラスタのスケジューラが、動作の非協調モードにおけるＣｏＭＰクラスタとして構成される複数のｇＮＢをスケジュールすることによって開始し得る。ＣｏＭＰクラスタの各ｇＮＢは、それ自身のＮＡＶを維持し、ワイヤレス送信リソースのために別々に競合する。処理は、ブロック９０２で、ＣｏＭＰクラスタのスケジューラが、現在、期限の切れたＮＡＶを有するＣｏＭＰクラスタのｇＮＢを優先的にスケジューリングすることによって続行し得る。
【０１１０】
[00131]図９Ｂを参照して、ＣｏＭＰクラスタのスケジューラによって行われる処理は、ブロック９００で、ＣｏＭＰクラスタのスケジューラが、動作の非協調モードにおけるＣｏＭＰクラスタとして構成される複数のｇＮＢをスケジューリングすることによって開始し得る。ＣｏＭＰクラスタの各ｇＮＢは、それ自身のＮＡＶを維持し、ワイヤレス送信リソースのために別々に競合する。処理は、ブロック９０２で、ＣｏＭＰクラスタのスケジューラが、最も大きなＮＡＶを有するＣｏＭＰクラスタのｇＮＢを優先的にスケジューリングすることによって続行し得る。
【０１１１】
[00132]図９Ｃを参照して、協調マルチポイントクラスタのスケジューラによって行われる処理は、ブロック９５０で、ＣｏＭＰクラスタのスケジューラが、動作の非協調モードにおけるＣｏＭＰクラスタとして構成される複数のｇＮＢをスケジューリングすることによって開始し得る。クラスタヘッドに指定される、ＣｏＭＰクラスタのうちのちょうど１つのｇＮＢは、ワイヤレス通信リソースのための完全な競合を行っている。クラスタヘッドは、それがワイヤレス送信リソースをクリアにするときＲＲＱを送り、他のＣｏＭＰクラスタの他のｇＮＢは、他のｇＮＢによって、所定の干渉レベルしきい値を超えるのを避ける決定が行われた場合のみ、ＲＲＳで応答する。処理はその語、ブロック９５２で、どのＣｏＭＰクラスタのスケジューラが、ＣｏＭＰクラスタのｇＮＢがクラスタヘッドとして指定されるかを動的に変更することによって続行し得る。クラスタヘッドの指定は、クラスタサイズに基づく公平なメカニズムに基づき得る。
【０１１２】
[00133]図９Ｄを参照して、協調マルチポイントクラスタの１つまたは複数のｇＮＢによって行われる処理は、ブロック９７０で、ｇＮＢが、クラスタヘッドとして指定される、リソースをクリアにするとき、ＣｏＭＰクラスタのｇＮＢによって送信されたＲＲＱを受信することによって続行し得る。処理はその後、ブロック９７２で、その送信が所定の干渉レベルしきい値を超えるのをその送信が避けることになるかどうかを決定することによって続行し得る。処理はその後、ブロック９７４で、所定の干渉しきい値レベルを超えるのその送信が避けることになると決定する場合、ＲＲＳを送信することによって続行し得る。
【０１１３】
[00134]図１０を参照して、ｇＮＢ１０００は、図１および図２中に例示されたような基地局１０５、および／または図４のｇＮＢ４０５ａおよび４０５ｂの構成と同じまたは同様の構成を有し得る。ｇＮＢ１０００は、メモリ２４２中に記憶されたプログラムコードまたは様々な処理の実行を行うまたは指示するコントローラ／プロセッサ２４０を含み得る。ｇＮＢ１０００はさらに、アンテナ２３４ａ−ｔから受信したアップリンクまたはダウンリンク信号を処理するワイヤレス無線１００１ａ−ｔを含み得る。メモリ２４２は、動作グリッドモジュール１００２、同期モジュール１００４、競合モジュール１００６、通信モジュール１００８、ＣｏＭＰモジュール１０１０、またはコントローラ／プロセッサ２４０による他のモジュール／アプリケーションの実行のためのプログラムコードを記憶し得る。
【０１１４】
[00135]コントローラ／プロセッサ２４０によって遂行されるとき、動作グリッドモジュール１００２は、図４、図７Ａ、および図７Ｂを参照して上で説明したような動作グリッドをブロードキャストすることと、使用することと、適応することとに従ってプロシージャを実行するようにコントローラ／プロセッサ２４０を構成し得る。コントローラ／プロセッサ２４０によって遂行されるとき、同期モジュール１００４は、図４、図５Ａ、図５Ｂ、図５Ｃ、図５Ｄ、図６Ａ、図６Ｂ、図６Ｃ、図７Ａ、図７Ｂを参照して上で説明したような、同期信号の送信、検出、および使用に従ってプロシージャを実行するようにコントローラ／プロセッサ２４０を構成し得る。コントローラ／プロセッサ２４０によって遂行されるとき、競合モジュール１００６は、図４、図５Ａ、図５Ｂ、図５Ｃ、図５Ｄ、図６Ａ、図６Ｂ、図６Ｃ、図７Ａ、図７Ｂ、図９Ａ，図９Ｂ、図９Ｃ、図９Ｄを参照して上で説明したような、競合メッセージの生成、送信、受信、および使用に従ってプロシージャを実行するようにコントローラ／プロセッサ２４０を構成し得る。コントローラ／プロセッサ２４０によって遂行されるとき、競合モジュール１００６は、図４、図５Ａ、図５Ｂ、図５Ｃ、図５Ｄ、図６Ｂ、図６Ｃ、図８Ａ，図８Ｂを参照して上で説明したようなプリコーダ、ランク、および／またはＭＣＳ選択、ＤＬ  ＴＸ、ＵＬ  ＲＸ、電力低減、ランク低減、およびディーププリアンブル生成および送信に従ってプロシージャを実行するようにコントローラ／プロセッサ２４０を構成し得る。コントローラ／プロセッサ２４０によって遂行されるとき、ＣｏＭＰモジュール１０１０は、図９Ａ，図９Ｂ、図９Ｃ、図９Ｄを参照して上で説明したような、ｇＮＢを優先的にスケジューリングすることと、クラスタヘッドを動的に指定することと、ＣｏＭＰ送信を実行することとに従ってプロセッサを実行するようにコントローラ／プロセッサ２４０を構成し得る。
【０１１５】
[00136]図１１を参照して、ＵＥ１１００は、図１および図２中に例示されたようなＵＥ１１５、および／または図４のＵＥ４１５ａおよび４１５ｂの構成と同じまたは同様の構成を有し得る。ＵＥ１１００は、メモリ２８２中に記憶されたプログラムコードまたは様々な処理の実行を行うまたは指示するコントローラ／プロセッサ２８０を含み得る。ＵＥ１１００はさらに、アンテナ２５２ａ−ｒから受信したアップリンクまたはダウンリンク信号を処理するワイヤレス無線１１０１ａ−ｒを含み得る。メモリ２８２は、動作グリッドモジュール１１０２、同期モジュール１１０４、競合モジュール１１０４、通信モジュール１１０８、またはコントローラ／プロセッサ２４０による他のモジュール／アプリケーションの実行のためのプログラムコードを記憶し得る。
【０１１６】
[00137]コントローラ／プロセッサ２８０によって遂行されるとき、動作グリッドモジュール１１０２は、図４、図７Ａ、および図７Ｂを参照して上で説明したような動作グリッドを受信することと、使用することと、更新することとに従ってプロシージャを実行するようにコントローラ／プロセッサ２８０を構成し得る。コントローラ／プロセッサ２８０によって遂行されるとき、同期モジュール１１０４は、図４、図５Ａ、図５Ｂ、図５Ｃ、図５Ｄ、図６Ａ、図６Ｂ、図６Ｃ、図７Ａ、図７Ｂを参照して上で説明したような、同期信号の送信、検出、および使用に従ってプロシージャを実行するようにコントローラ／プロセッサ２８０を構成し得る。コントローラ／プロセッサ２８０によって遂行されるとき、競合モジュール１１０６は、図４、図５Ａ、図５Ｂ、図５Ｃ、図５Ｄ、図６Ａ、図６Ｂ、図６Ｃ、図７Ａ、図７Ｂを参照して上で説明したような、競合メッセージの生成、送信、受信、および使用に従ってプロシージャを実行するようにコントローラ／プロセッサ２８０を構成し得る。コントローラ／プロセッサ２８０によって遂行されるとき、通信モジュール１１０８は、図４、図８Ａ、および図８Ｂを参照して上で説明したようなディーププリアンブル検出および使用に従ってプロシージャを実行するようにコントローラ／プロセッサ２８０を構成し得る。
【０１１７】
[00138]情報および信号は様々な異なる技術および技法のいずれかを使用して表すことができることを、当業者は理解されよう。例えば、上記の説明全体を通じて参照されうるデータ、命令、コマンド、情報、信号、ビット、シンボル、およびチップは、電圧、電流、電磁波、磁場または磁性粒子、光場または光粒子、あるいはそれらの任意の組み合わせによって表され得る。
【０１１８】
[00139]図６Ａ、図６Ｂ、図６Ｃ、図７Ａ、図７Ｂ、図８Ａ、図８Ｂ、図９Ａ、図９Ｂ、図９Ｃ、および図９Ｄにおける機能ブロックおよびモジュールは、プロセッサ、電子デバイス、ハードウェアデバイス、電子コンポーネント、論理回路、メモリ、ソフトウェアコード、ファームウェアコード、等、またはこれらの任意の組み合わせを備えることができる。
【０１１９】
[00140]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は了解されよう。ハードウェアとソフトウェアとのこの互換性を明確に例示するために、様々な例示的なコンポーネント、ブロック、モジュール、回路、およびステップが、それらの機能の観点から概して上で説明されてきた。このような機能性がハードウェアとして実施されるかソフトウェアとして実施されるかは、特定のアプリケーション及びシステム全体に課せられる設計制約に依存する。当業者は、記述した機能性を特定のアプリケーションごとに様々な方法で実施し得るが、このような実施の決定は、本開示の範囲からの逸脱をさせるものとして解釈されるべきでない。当業者はまた、ここに説明されたコンポーネント、方法、またはインタラクションの順序または組合せが単なる例であること、そして本開示の様々な態様のコンポーネント、方法、またはインタラクションは、ここに例示および説明されたもの以外の方法で組み合わせられ得るまたは実施され得ることも容易に認識することになる。
【０１２０】
[00141]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサは、マイクロプロセッサであり得るが、代わりとして、該プロセッサは、いずれの従来のプロセッサ、コントローラ、マイクロコントローラ、またはステートマシンでもあり得る。プロセッサはまた、コンピューティングデバイスの組合せ、例えば、ＤＳＰとマイクロプロセッサの組合せ、複数のマイクロプロセッサ、ＤＳＰコアに連結した１つまたは複数のマイクロプロセッサ、または他の任意のそのような構成として実施され得る。
【０１２１】
[00142]本明細書の開示に関して説明した方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、あるいは当該技術で周知の任意の他の形態の記憶媒体内に存在し得る。例示的な記憶媒体は、プロセッサが記憶媒体から情報を読み取り、記憶媒体に情報を書き込むことができるように、プロセッサに結合される。代わりとして、記憶媒体は、プロセッサに不可欠であり得る。プロセッサおよび記憶媒体は、ＡＳＩＣ内に存在することができる。ＡＳＩＣは、ユーザ端末に存在し得る。代わりとして、プロセッサと記憶媒体は、ユーザ端末においてディスクリートコンポーネントとして存在し得る。
【０１２２】
[00143]１つまたは複数の例示的な設計では、説明した機能は、ハードウェア、ソフトウェア、ファームウェア、またはそれらの任意の組合せで実装され得る。ソフトウェアで実装される場合、機能は、コンピュータ可読媒体上で、１つまたは複数の命令またはコードとして記憶または送信され得る。コンピュータ可読媒体は、１つの場所から別の場所へのコンピュータプログラムの転送を容易にする何らかの媒体を含む通信媒体とコンピュータ記憶媒体との両方を含む。コンピュータ読み取り可能な記憶媒体は、汎用または専用コンピュータによってアクセスされることができる任意の利用可能な媒体であり得る。限定ではなく例として、このようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、あるいは命令またはデータ構造の形態で所望のプログラムコード手段を搬送または記憶するために使用され得る、かつ汎用もしくは専用コンピュータまたは汎用もしくは専用プロセッサによってアクセスされうるいずれの他の媒体も備え得る。また、接続は、コンピュータ読み取り可能な媒体と適正に名付けられ得る。例えば、ソフトウェアが、同軸ケーブル、光ファイバーケーブル、ツイストペアまたはデジタル加入者回線（ＤＳＬ）を使用してウェブサイト、サーバまたは他の遠隔ソースから送信される場合には、同軸ケーブル、光ファイバーケーブル、ツイストペアまたはＤＳＬは、媒体の定義に含まれる。本明細書で使用される場合、ディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光学ディスク（ｄｉｓｃ）、デジタル多目的ディスク（ｄｉｓｃ）（ＤＶＤ）、フロッピー（登録商標）ディスク（ｄｉｓｋ）およびブルーレイディスク（ｄｉｓｃ）を含み、ここにおいて、ディスク（ｄｉｓｋ）は、大抵磁気的にデータを再生し、一方ディスク（ｄｉｓｃ）は、レーザを用いて光学的にデータを再生する。上記の組合せもまた、コンピュータ可読媒体の範囲内に含まれるべきである。
【０１２３】
[00144]請求項を含め、ここで使用される場合、「および／または」という用語は、２つ以上の項目のリストに使用されるとき、リストされた項目のうちのいずれの１つも、それだけで採用されることができること、あるいは、リストされた項目の２つ以上のいかなる組合せも採用されることができること、を意味する。例えば、ある構成（ｃｏｍｐｏｓｉｔｉｏｎ）がコンポーネントＡ、Ｂおよび／またはＣを含むとして説明される場合、その構成は、Ａ単体、Ｂ単体、Ｃ単体、ＡとＢとの組合せ、ＡとＣとの組合せ、ＢとＣとの組合せ、あるいは、ＡとＢとＣとの組合せを含むことができる。また、請求項を含め、ここで使用される場合、「のうちの少なくとも１つ」で終わる項目のリストで使用される「または（ｏｒ）」は、例えば、「Ａ、ＢまたはＣのうちの少なくとも１つ」というリストが、ＡまたはＢまたはＣまたはＡＢまたはＡＣまたはＢＣまたはＡＢＣ（すなわち、ＡおよびＢおよびＣ）あるいはそれらの任意の組合せにおけるそれらのいずれのものをも意味するような、選言的なリスト（a disjunctive list）を示す。
【０１２４】
[00145]本開示の前述の説明は、いかなる当業者でも本開示を作成または使用することができるように提供される。本開示への様々な修正は、当業者には容易に明らかとなり、本明細書で定義されている包括的な原理は、本開示の範囲または趣旨から逸脱することなく、他のバリエーションに適用され得る。従って、本開示は、本明細書で説明された例および設計に限定されるように意図されたものではなく、本明細書で開示された原理および新規の特徴と一致する最大範囲を与えられるものとする。
以下に、本願出願の当初の特許請求の範囲に記載された発明を付記する。
［Ｃ１］
ワイヤレス通信の方法であって、
ユーザ機器（ＵＥ）で、次世代ノードＢ（ｇＮＢ）によって送信された予約要求（ＲＲＱ）を受信することと、
前記ＲＲＱに応答する前記ＵＥが、予約応答信号（ＲＲＳ）を送信することと
を備え、前記ＲＲＳは、ＵＥによって推定された干渉のインジケーションによって変調されたプリコード化サウンディング基準信号（ＳＲＳ）を搬送する、
方法。
［Ｃ２］
前記干渉のインジケーションは、共分散行列の逆数（Ｒｎｎ−１／２）に対応する、
［Ｃ１］に記載の方法。
［Ｃ３］
前記ｇＮＢは、前記ＵＥをサービスするサービングセルｇＮＢであり、前記Ｒｎｎ−１／２は、前記ＵＥと前記サービングｇＮＢとの間のワイヤレス通信のために、効果的な信号対干渉ノイズ比（ＳＩＮＲ）ポスト最小平均二乗誤差（ＭＭＳＥ）を通信する、
［Ｃ２］に記載の方法。
［Ｃ４］
前記ｇＮＢが前記ＵＥをサービスしない近隣ｇＮＢであり、前記Ｒｎｎ−１／２は、前記近隣ｇＮＢによる送信に起因する、前記ＵＥとサービングｇＮＢとの間のワイヤレス通信に、干渉レベルの増加を通信する、
［Ｃ２］に記載の方法。
［Ｃ５］
前記Ｒｎｎ−１／２は、空間次元毎に、干渉レベルの増加の等価値を含み、それによって、前記近隣ｇＮＢが、所定の干渉レベルしきい値を超えるのを避ける方法で、レイヤ毎に送信ランクおよび送信電力を決定できるようにする、
［Ｃ４］に記載の方法。
［Ｃ６］
前記ＲＲＱは、サービングｇＮＢへの前記ＵＥの間のワイヤレス通信のデータ部分において使用されるランクを搬送し、前記ＵＥによる粗い干渉共分散行列（Ｒｎｎ）の計算を容易にするプリコード化チャネル状態情報−基準信号（ＣＳＩ−ＲＳ）を含む、
［Ｃ１］に記載の方法。
［Ｃ７］
前記ＲＲＱは、ネットワーク割り振りベクトル（ＮＡＶ）と、前記ＮＡＶの復号を可能にする制御基準信号（ＲＳ）をさらに含む、
［Ｃ１］に記載の方法。
［Ｃ８］
前記ＲＲＳは、前記ＮＡＶによって識別された送信機会（ＴｘＯｐ）において、他のＵＥによって送信された他のＲＲＳと多重化される、
［Ｃ７］に記載の方法。
［Ｃ９］
前記ＲＲＳは、ネットワーク割り振りベクトル（ＮＡＶ）と、前記ＮＡＶの復号を可能にする制御基準信号（ＲＳ）をさらに含む、
［Ｃ１］に記載の方法。
［Ｃ１０］
前記ＲＲＱを受信する前に前記ＵＥが、前記ｇＮＢによって送信された同期信号を受信することと、
前記ＵＥが、前記ＲＲＱを復号するために前記同期信号を使用することと、
前記ＵＥが、前記ＲＲＳを送信する前に別の同期信号を送信することと
をさらに備える、［Ｃ１］に記載の方法。
［Ｃ１１］
前記ＵＥは、前記ｇＮＢと同期され、前記方法は、
前記ＵＥが、前記ＲＲＱが制御領域中で受信したかどうかを決定することと、
前記ＲＲＱが前記制御領域中で受信したとの前記決定に応答して、前記ＵＥが、前記制御領域中で前記ＲＲＳを送信することと、
前記ＲＲＱが前記制御領域中で受信しなかったとの前記決定に応答して、前記ＵＥが、データ領域中で前記ＲＲＳを送信することと
をさらに備える、［Ｃ１］に記載の方法。
［Ｃ１２］
ワイヤレス通信の方法であって、
次世代ノードＢ（ｇＮＢ）が、ユーザ機器（ＵＥ）に、予約要求（ＲＲＱ）を送信することと、
前記ｇＮＢが、前記ＲＲＱに応答する前記ＵＥによって送信された予約応答信号（ＲＲＳ）を検出すること、ここにおいて、前記ＲＲＳは、ＵＥによって推定された干渉のインジケーションによって変調されたプリコード化サウンディング基準信号（ＳＲＳ）を含む、と、
前記ＵＥと前記ｇＮＢとの間のワイヤレス通信のための、
プロシージャ、
ランク、または
変調およびコーディングスキーム（ＭＣＳ）
のうちの少なくとも１つを選択するために前記干渉のインジケーションを採用することと
を備える、方法。
［Ｃ１３］
前記干渉のインジケーションは、共分散行列の逆数（Ｒｎｎ−１／２）に対応する、
［Ｃ１２］に記載の方法。
［Ｃ１４］
前記ＲＲＱは、前記ＵＥと前記ｇＮＢとの間のワイヤレス通信のデータ部分において使用されるランクを搬送し、前記ＵＥによる粗い干渉共分散行列（Ｒｎｎ）の計算を容易にするプリコード化チャネル状態情報−基準信号（ＣＳＩ−ＲＳ）を含む、
［Ｃ１２］に記載の方法。
［Ｃ１５］
前記ｇＮＢは、−６デシベル（ｄＢ）信号対ノイズ比（ＳＮＲ）で前記ＲＲＳを検出する、
［Ｃ１２］に記載の方法。
［Ｃ１６］
前記ｇＮＢは、前記ＵＥと前記ｇＮＢとの間のワイヤレス通信のための前記プリコーダを選択するために前記干渉のインジケーションを採用する、
［Ｃ１２］に記載の方法。
［Ｃ１７］
前記ｇＮＢは、前記ＵＥと前記ｇＮＢとの間のワイヤレス通信のための前記ランクを選択するために前記干渉のインジケーションを採用する、
［Ｃ１２］に記載の方法。
［Ｃ１８］
前記ｇＮＢは、前記ＵＥと前記ｇＮＢとの間のワイヤレス通信のための前記ＭＣＳを選択するために前記干渉のインジケーションを採用する、
［Ｃ１２］に記載の方法。
［Ｃ１９］
前記ＲＲＱは、ネットワーク割り振りベクトル（ＮＡＶ）と、前記ＮＡＶの復号を可能にする制御基準信号（ＲＳ）をさらに含む、
［Ｃ１２］に記載の方法。
［Ｃ２０］
前記ｇＮＢが、前記ＵＥによって送信された前記ＲＲＳを検出することは、前記ＮＡＶによって識別された送信機会（ＴｘＯｐ）において、他のＵＥによって送信された他のＲＲＳと多重化される前記ＲＲＳを検出することを含む、
［Ｃ１２］に記載の方法。
［Ｃ２１］
前記ｇＮＢが、アップリンクおよびダウンリンクトラフィックのための１つまたは複数の通信媒体を予約するために異なるＲＲＱを送信することをさらに備える、
［Ｃ１］に記載の方法。
［Ｃ２２］
前記ＲＲＱを送信する前に前記ｇＮＢが、同期信号を送信することと、
前記ＲＲＳを検出する前に前記ｇＮＢが、前記ＵＥによって送信された別の同期信号を受信することと、
前記ｇＮＢが、前記ＲＲＳを復号する前記別の同期信号を使用することと
をさらに備える、［Ｃ１２］に記載の方法。
［Ｃ２３］
前記ｇＮＢは、別のｇＮＢと同期され、前記方法は、
前記ｇＮＢが、制御領域において別のＵＥによってサービスされる前記別のＵＥと前記別のｇＮＢとの間で交換される別のＲＲＱと別のＲＲＳを観測することと、
前記ｇＮＢが、前記別のｇＮＢが前記別のＲＲＱおよび前記別のＲＲＳによって識別される送信機会（ＴｘＯｐ）を埋める十分なデータを有していないと決定すること、
前記ｇＮＢが、前記ＴｘＯｐの残りにおいて送信のために競合することと
をさらに備える、［Ｃ１２］に記載の方法。
［Ｃ２４］
前記ｇＮＢおよび前記別のｇＮＢは、同じオペレータのものであり、前記競合することは、ＲＲＱおよびＲＲＳの交換を包含するメカニズムを採用するソフト再利用プロシージャに従って生じる、
［Ｃ２３］に記載の方法。
［Ｃ２５］
前記ｇＮＢおよび前記別のｇＮＢは、異なるオペレータのものであり、前記競合することは、他のオペレータの１つまたは複数のｇＮＢでの優先ランダムアクセスプロシージャに従って生じる、
［Ｃ２３］に記載の方法。
［Ｃ２６］
ワイヤレス通信の方法であって、
次世代ノードＢ（ｇＮＢ）が、ユーザ機器（ＵＥ）に、予約要求（ＲＲＱ）を送信することと、
前記ｇＮＢが、前記ＲＲＱに応答する前記ＵＥによって送信された予約応答信号（ＲＲＳ）を検出すること、ここにおいて、前記ＲＲＳは、前記ＵＥによって推定された干渉のインジケーションによって変調されたプリコード化サウンディング基準信号（ＲＲＳ）を含み、前記干渉のインジケーションは、、前記ｇＮＢによる１つまたは複数のワイヤレス送信に起因する、前記ＵＥとそれについてのサービングｇＮＢとの間のワイヤレス通信に、干渉レベルの上昇を通信する、と、
前記ＲＲＳに応答する前記ｇＮＢが、所定の干渉レベルしきい値を超える、前記ワイヤレス通信への干渉を引き起こすのを避ける方法で、前記ワイヤレス送信を送信することと
を備える、方法。
［Ｃ２７］
前記干渉のインジケーションは、共分散行列の逆数（Ｒｎｎ−１／２）に対応する、
［Ｃ２６］に記載の方法。
［Ｃ２８］
前記Ｒｎｎ−１／２は、空間次元毎に、干渉レベルの増加の等価値を含み、前記ｇＮＢは、所定の干渉レベルしきい値を超えるのを避ける方法で、レイヤ毎に送信ランクおよび送信電力を決定する、
［Ｃ２７］に記載の方法。
［Ｃ２９］
前記ＲＲＱは、前記ＵＥが粗い干渉共分散行列（Ｒｎｎ）を計算すべきトーンを搬送するプリコード化チャネル状態情報基準信号（ＣＳＩ−ＲＳ）を含む、
［Ｃ２６］に記載の方法。
［Ｃ３０］
前記ｇＮＢは、−６デシベル（ｄＢ）信号対ノイズ比（ＳＮＲ）で前記ＲＲＳを検出する、
［Ｃ２６］に記載の方法。
［Ｃ３１］
前記ＲＲＱは、ネットワーク割り振りベクトル（ＮＡＶ）と、前記ＮＡＶの復号を可能にする制御基準信号（ＲＳ）をさらに含む、
［Ｃ２６］に記載の方法。
［Ｃ３２］
前記ｇＮＢが、前記ＵＥによって送信された前記ＲＲＳを検出することは、前記ＮＡＶによって識別された送信機会（ＴｘＯｐ）において、他のＵＥによって送信された他のＲＲＳと多重化されるＲＲＳを検出することを含む、
［Ｃ３１］に記載の方法。
［Ｃ３３］
前記ｇＮＢが、前記サービングｇＮＢへの前記ＵＥによるアップリンク送信のために通信媒体を予約するために、前記ＵＥのサービングｇＮＢによって送信されたＲＲＱを検出することと、
前記ＲＲＱに応答する前記ｇＮＢが、前記ＵＥによる前記アップリンク送信への干渉を低減する方法で、前記ワイヤレス送信を送信することと
をさらに備える、［Ｃ２６］に記載の方法。
［Ｃ３４］
前記送信することは、前記ＲＲＳに応答する前記ｇＮＢが、前記ＵＥによる前記アップリンク送信への干渉をさらに低減する、
［Ｃ３３］に記載の方法。
［Ｃ３５］
前記ＲＲＱを送信するまえに前記ｇＮＢが、同期信号を送信することと、
前記ＲＲＳを検出する前に前記ｇＮＢが、前記ＵＥによって送信された別の同期信号を受信することと、
前記ｇＮＢが、前記ＲＲＳを復号する前記別の同期信号を使用することと
をさらに備える、［Ｃ２６］に記載の方法。
［Ｃ３６］
前記ｇＮＢは、別のｇＮＢと同期され、前記方法は、
前記ｇＮＢが、制御領域において、別のＵＥによってサービスされる前記別のＵＥと、前記別のｅＮＢとの間で交換される別のＲＲＱと別のＲＲＳを観測することと、
前記ｇＮＢが、前記別のｇＮＢが前記別のＲＲＱおよび前記別のＲＲＳによって識別される送信機会（ＴｘＯｐ）を埋める十分なデータを有していないと決定すること、
前記ｇＮＢが、前記ＴｘＯｐの残りにおいて送信のために競合することと
をさらに備える、［Ｃ２６］に記載の方法。
［Ｃ３７］
前記ｇＮＢおよび前記別のｇＮＢは、同じオペレータのものであり、前記競合することは、ＲＲＱおよびＲＲＳの交換を包含するメカニズムを採用するソフト再利用プロシージャに従って生じる、
［Ｃ３６］に記載の方法。
［Ｃ３８］
前記ｇＮＢおよび前記別のｇＮＢは、異なるオペレータのものであり、前記競合することは、他のオペレータの１つまたは複数のｇＮＢでの優先ランダムアクセスプロシージャに従って生じる、
［Ｃ３６］に記載の方法。
【図１】
0006926237.tif 000002
【図２】
0006926237.tif 000003
【図３】
0006926237.tif 000004
【図４】
0006926237.tif 000005
【図５Ａ】
0006926237.tif 000006
【図５Ｂ】
0006926237.tif 000007
【図５Ｃ】
0006926237.tif 000008
【図５Ｄ】
0006926237.tif 000009
【図６Ａ】
0006926237.tif 000010
【図６Ｂ】
0006926237.tif 000011
【図６Ｃ】
0006926237.tif 000012
【図７Ａ】
0006926237.tif 000013
【図７Ｂ】
0006926237.tif 000014
【図８Ａ】
0006926237.tif 000015
【図８Ｂ】
0006926237.tif 000016
【図９Ａ】
0006926237.tif 000017
【図９Ｂ】
0006926237.tif 000018
【図９Ｃ】
0006926237.tif 000019
【図９Ｄ】
0006926237.tif 000020
【図１０】
0006926237.tif 000021
【図１１】
0006926237.tif 000022